(57)【要約】  本開示は、初期アクセスを確立するための装置及び方法を提供する。装置は、動作中、同期信号（ＳＳ）バーストセットにおける候補同期信号／物理報知チャネルブロック（ＳＳＢ）を受信するよう構成されている受信部であって、候補ＳＳＢは、基地局から１つ以上のＳＳＢチャネル占有時間（ＳＳＢ  ＣＯＴ）内で送信される、受信部を備える端末を含む。端末は、動作中、物理ランダムアクセスチャネル（ＰＲＡＣＨ）オケージョン（ＲＯ）におけるＰＲＡＣＨプリアンブルを基地局に送信するよう構成されている送信部であって、ＲＯは、受信された候補ＳＳＢのうちの１つのＳＳＢに関連付けられている、送信部を更に備える。
2021532646.tif 000002
【特許請求の範囲】
【請求項１】
初期アクセスを確立するための端末であって、
動作中、同期信号（ＳＳ）バーストセットにおける候補同期信号／物理報知チャネルブロック（ＳＳＢ）を受信するよう構成されている受信部であって、前記候補ＳＳＢは、基地局から１つ以上のＳＳＢチャネル占有時間（ＳＳＢ  ＣＯＴ）内で送信される、受信部と、
動作中、物理ランダムアクセスチャネル（ＰＲＡＣＨ）オケージョン（ＲＯ）におけるＰＲＡＣＨプリアンブルを前記基地局に送信するよう構成されている送信部であって、前記ＲＯは、受信された前記候補ＳＳＢのうちの１つのＳＳＢに関連付けられている、送信部と、
を備える端末。
【請求項２】
前記１つ以上のＳＳＢ  ＣＯＴの数は、前記基地局において実行されるリッスンビフォアトーク（ＬＢＴ）手順の結果に従って決定される、
請求項１に記載の端末。
【請求項３】
前記ＬＢＴ手順の結果が、前記１つ以上のＳＳＢ  ＣＯＴのうちの最初のＳＳＢ  ＣＯＴの持続時間が、前記ＳＳバーストセットにおける前記候補ＳＳＢを送信するために必要とされる持続時間以上であることを示す場合、前記１つ以上のＳＳＢ  ＣＯＴの数は１つであり、前記１つ以上のＳＳＢ  ＣＯＴのうちの最初のＳＳＢ  ＣＯＴの持続時間が、前記ＳＳバーストセットにおける前記候補ＳＳＢを送信するために必要とされる持続時間未満であることを示す場合、前記１つ以上のＳＳＢ  ＣＯＴの数は２つ以上である、
請求項２に記載の端末。
【請求項４】
前記受信部は、前記１つ以上のＳＳＢ  ＣＯＴの数が１つである場合、動作中、更に、前記ＳＳバーストセット内でインデックス付けされたＳＳＢインデックスが割当てられている、前記候補ＳＳＢの各々を受信するよう構成されており、
前記受信部は、前記１つ以上のＳＳＢ  ＣＯＴの数が２つ以上である場合、動作中、更に、１つ以上のＳＳＢ  ＣＯＴグループ内で２つ以上の前記ＳＳＢ  ＣＯＴを受信するよう構成されており、前記１つ以上のＳＳＢ  ＣＯＴグループの各ＳＳＢ  ＣＯＴグループは、前記候補ＳＳＢのうちの対応する数のＳＳＢが受信される持続時間を有し、前記対応する数のＳＳＢの各々に、当該ＳＳＢ  ＣＯＴグループ内でインデックス付けされたＳＳＢインデックスが割当てられている、
請求項３に記載の端末。
【請求項５】
前記送信部は、動作中、更に、１つ以上のＳＳＢ  ＣＯＴグループにおいて受信される前記候補ＳＳＢの受信に応じて、前記ＲＯにおける前記ＰＲＡＣＨプリアンブルを送信するよう構成されており、前記ＰＲＡＣＨプリアンブルは、前記１つ以上のＳＳＢ  ＣＯＴグループの各ＳＳＢ  ＣＯＴグループ内で送信される、
請求項１に記載の端末。
【請求項６】
動作中、１つ以上のマッピングルールに基づいて、前記候補ＳＳＢの各々に関連付けられているＲＯを判別するよう構成されている制御部であって、前記１つ以上のマッピングルールは、前記候補ＳＳＢの各候補ＳＳＢのＳＳＢインデックスと当該候補ＳＳＢに関連付けられるＲＯとの間のルールである、制御部
を更に備える、請求項１に記載の端末。
【請求項７】
初期アクセスを確立するための基地局であって、
動作中、１つ以上の同期信号／物理報知チャネルブロック（ＳＳＢ）チャネル占有時間（ＳＳＢ  ＣＯＴ）内の同期信号（ＳＳ）バーストセットにおける候補ＳＳＢを端末に送信するよう構成されている送信部と、
動作中、前記端末から、物理ランダムアクセスチャネル（ＰＲＡＣＨ）オケージョン（ＲＯ）におけるＰＲＡＣＨプリアンブルを受信するよう構成されている受信部であって、前記ＲＯは、送信された前記候補ＳＳＢのうちの１つのＳＳＢに関連付けられている、受信部と、
を備える基地局。
【請求項８】
前記１つ以上のＳＳＢ  ＣＯＴの数は、前記基地局において実行されるリッスンビフォアトーク（ＬＢＴ）手順の結果に従って決定される、
請求項７に記載の基地局。
【請求項９】
前記ＬＢＴ手順の結果が、前記１つ以上のＳＳＢ  ＣＯＴのうちの最初のＳＳＢ  ＣＯＴの持続時間が、前記ＳＳバーストセットにおける前記候補ＳＳＢを送信するために必要とされる持続時間以上であることを示す場合、前記１つ以上のＳＳＢ  ＣＯＴの数は１つであり、前記１つ以上のＳＳＢ  ＣＯＴのうちの最初のＳＳＢ  ＣＯＴの持続時間が、前記ＳＳバーストセットにおける前記候補ＳＳＢを送信するために必要とされる持続時間未満であることを示す場合、前記１つ以上のＳＳＢ  ＣＯＴの数は２つ以上である、
請求項８に記載の基地局。
【請求項１０】
前記送信部は、前記１つ以上のＳＳＢ  ＣＯＴの数が１つである場合、動作中、更に、前記ＳＳバーストセット内でインデックス付けされたＳＳＢインデックスが割当てられている、前記候補ＳＳＢの各々を送信するよう構成されており、
前記送信部は、前記１つ以上のＳＳＢ  ＣＯＴの数が２つ以上である場合、動作中、更に、１つ以上のＳＳＢ  ＣＯＴグループ内で２つ以上の前記ＳＳＢ  ＣＯＴを送信するよう構成されており、前記１つ以上のＳＳＢ  ＣＯＴグループの各ＳＳＢ  ＣＯＴグループは、前記候補ＳＳＢのうちの対応する数のＳＳＢが送信される持続時間を有し、前記対応する数のＳＳＢの各々に、当該ＳＳＢ  ＣＯＴグループ内でインデックス付けされたＳＳＢインデックスが割当てられている、
請求項９に記載の基地局。
【請求項１１】
前記受信部は、動作中、更に、１つ以上のＳＳＢ  ＣＯＴグループにおいて受信される前記候補ＳＳＢの受信に応じて、前記ＲＯにおける前記ＰＲＡＣＨプリアンブルを受信するよう構成されており、前記ＰＲＡＣＨプリアンブルは、前記１つ以上のＳＳＢ  ＣＯＴグループ内で受信される、
請求項７に記載の基地局。
【請求項１２】
動作中、１つ以上のマッピングルールに基づいて、ＲＯを前記候補ＳＳＢの各々に関連付けるよう構成されている制御部であって、前記１つ以上のマッピングルールは、前記候補ＳＳＢの各候補ＳＳＢのＳＳＢインデックスと当該候補ＳＳＢに関連付けられるＲＯとの間のルールである、制御部
を更に備える、請求項７に記載の基地局。
【請求項１３】
初期アクセスを確立するための方法であって、
端末が、同期信号（ＳＳ）バーストセットにおける候補同期信号／物理報知チャネルブロック（ＳＳＢ）を受信することであって、前記候補ＳＳＢは、基地局から１つ以上のＳＳＢチャネル占有時間（ＳＳＢ  ＣＯＴ）内で送信される、受信することと、
前記端末が、物理ランダムアクセスチャネル（ＰＲＡＣＨ）オケージョン（ＲＯ）におけるＰＲＡＣＨプリアンブルを前記基地局に送信することであって、前記ＲＯは、受信された前記候補ＳＳＢのうちの１つのＳＳＢに関連付けられている、送信することと、
を含む方法。
【請求項１４】
初期アクセスを確立するための方法であって、
基地局が、１つ以上の同期信号／物理報知チャネルブロック（ＳＳＢ）チャネル占有時間（ＳＳＢ  ＣＯＴ）内の同期信号（ＳＳ）バーストセットにおける候補ＳＳＢを端末に送信することと、
前記基地局が、前記端末から、物理ランダムアクセスチャネル（ＰＲＡＣＨ）オケージョン（ＲＯ）におけるＰＲＡＣＨプリアンブルを受信することであって、前記ＲＯは、送信された前記候補ＳＳＢのうちの１つのＳＳＢに関連付けられている、受信することと、
を含む方法。
【発明の詳細な説明】
【技術分野】
【０００１】
以下の開示は、第５世代（５Ｇ）通信において初期アクセスを確立するための装置及び方法に関し、より詳細には、アンライセンス帯域で動作する新（しい）無線（ＮＲ）において初期アクセスを確立するための装置及び方法に関する。
【背景技術】
【０００２】
５Ｇの標準化において、ロングタームエボリューション（ＬＴＥ）／ＬＴＥ−Ａｄｖａｎｃｅｄ技術との後方互換性を必ずしも有しているわけではないＮＲアクセス技術が、第３世代パートナーシッププロジェクト（３ＧＰＰ）において議論されており、ＮＲスタンドアロン技術と考えられている。
【０００３】
ＮＲにおいて、ＬＴＥライセンス補助アクセス（ＬＴＥ−ＬＡＡ）と同様に、アンライセンス帯域における動作が期待される。アンライセンス帯域においてＮＲスタンドアロンを実装するために、ＬＴＥ−ＬＡＡに導入されていない初期アクセス手順をアンライセンス帯域に導入することが議論されている。
【０００４】
リッスンビフォアトーク（ＬＢＴ）手順は、国、周波数、及び状態に応じて、アンライセンス帯域におけるＮＲチャネルアクセスのために必要とされる。しかしながら、ＬＢＴに従ってアンライセンス帯域においてＮＲ初期アクセスを確立するための通信装置及び通信方法については、十分な議論がなされていない。
【０００５】
したがって、初期アクセスを確立するための効率的で信頼できる通信を確実にし、ＮＲダウンリンク（ＤＬ）及びアップリンク（ＵＬ）スループットを向上させるために、上述した欠点を解決することができる通信装置及び方法が必要とされている。更に、他の望ましい特徴及び特性が、添付の図面及び本開示のこの背景技術とともに読まれる以下の詳細な説明及び添付の特許請求の範囲から明らかになるであろう。
【発明の概要】
【０００６】
非限定的且つ例示的な一実施形態は、効率的で信頼できる方法で初期アクセスを確立するための装置を提供することを容易にする。
【０００７】
本開示の第１の態様に従うと、初期アクセスを確立するための端末が提供される。端末は、動作中、同期信号（ＳＳ）バーストセットにおける候補同期信号／物理報知チャネルブロック（ＳＳＢ）を受信するよう構成されている受信部であって、候補ＳＳＢは、基地局から１つ以上のＳＳＢチャネル占有時間（ＳＳＢ  ＣＯＴ）内で送信される、受信部と、動作中、物理ランダムアクセスチャネル（ＰＲＡＣＨ）オケージョン（ＲＯ）におけるＰＲＡＣＨプリアンブルを基地局に送信するよう構成されている送信部であって、ＲＯは、受信された候補ＳＳＢのうちの１つのＳＳＢに関連付けられている、送信部と、を備える。
【０００８】
本開示の第２の態様に従うと、初期アクセスを確立するための基地局が提供される。基地局は、動作中、１つ以上の同期信号／物理報知チャネルブロック（ＳＳＢ）チャネル占有時間（ＳＳＢ  ＣＯＴ）内の同期信号（ＳＳ）バーストセットにおける候補ＳＳＢを端末に送信するよう構成されている送信部と、動作中、端末から、物理ランダムアクセスチャネル（ＰＲＡＣＨ）オケージョン（ＲＯ）におけるＰＲＡＣＨプリアンブルを受信するよう構成されている受信部であって、ＲＯは、受信された候補ＳＳＢのうちの１つのＳＳＢに関連付けられている、受信部と、を備える。
【０００９】
本開示の第３の態様に従うと、初期アクセスを確立するための方法が提供される。方法は、端末において、同期信号（ＳＳ）バーストセットにおける候補同期信号／物理報知チャネルブロック（ＳＳＢ）を受信することであって、候補ＳＳＢは、基地局から１つ以上のＳＳＢチャネル占有時間（ＳＳＢ  ＣＯＴ）内で送信される、受信することと、端末から、物理ランダムアクセスチャネル（ＰＲＡＣＨ）オケージョン（ＲＯ）におけるＰＲＡＣＨプリアンブルを基地局に送信することであって、ＲＯは、受信された候補ＳＳＢのうちの１つのＳＳＢに関連付けられている、送信することと、を含む。
【００１０】
本開示の第４の態様に従うと、初期アクセスを確立するための方法が提供される。方法は、基地局から、１つ以上の同期信号／物理報知チャネルブロック（ＳＳＢ）チャネル占有時間（ＳＳＢ  ＣＯＴ）内の同期信号（ＳＳ）バーストセットにおける候補ＳＳＢを端末に送信することと、基地局において、端末から、物理ランダムアクセスチャネル（ＰＲＡＣＨ）オケージョン（ＲＯ）におけるＰＲＡＣＨプリアンブルを受信することであって、ＲＯは、送信された候補ＳＳＢのうちの１つのＳＳＢに関連付けられている、受信することと、を含む。
【００１１】
なお、一般的な実施形態又は特定の実施形態は、システム、方法、集積回路、コンピュータプログラム、記憶媒体、又はこれらの任意の選択的な組み合わせとして、実現可能であることに留意されたい。
【００１２】
開示されている実施形態の更なる恩恵及び利点は、本明細書及び図面から明らかになるであろう。これらの恩恵及び／又は利点は、本明細書及び図面の様々な実施形態及び特徴によって個別に得られることが可能である。ただし、このような恩恵及び／又は利点のうちの１つ以上を得るために、これらの特徴全てを設ける必要はない。
【図面の簡単な説明】
【００１３】
本開示の実施形態は、図面と併せて、例示に過ぎない以下に記載された説明から、当業者に良く理解され、容易に明らかになるであろう。図中の要素は、簡潔にするために且つ明瞭にするために例示されており、必ずしも縮尺通りに描かれているわけではないことが、当業者には理解されるであろう。例えば、例示図、ブロック図、又はフローチャート中の一部の要素の寸法は、本実施形態の理解を向上させるのを助けるために、他の要素に対して誇張されていることがある。
【図１ａ】実施形態に従った、初期アクセスを確立するための基地局の概略的な例を示す図（この例では、基地局はｎｇＮｏｄｅＢ（ｇＮＢ）と称される）。
【図１ｂ】実施形態に従った、初期アクセスを確立するための端末の概略的な例を示す図（この例では、端末はユーザ機器と称される）。
【図２】実施形態に従った、初期アクセスが基地局と端末との間で確立され得る、基地局及び端末を有するシステムの概略図。
【図３ａ】本開示に従って基地局と端末との間で初期アクセスが確立される方法の一例に従った信号フローを示す図。
【図３ｂ】本開示に従って基地局と端末との間で初期アクセスが確立される方法の別の例に従った信号フローを示す図。
【図４ａ】図１ａ、図１ｂ、及び図２のうちの少なくとも１つに示されているような実施形態に従った、基地局と端末との間で初期アクセスを確立するプロセスにおける、基地局と端末との間の分割同期信号／物理報知チャネルブロック（ＳＳＢ）送信の一例を示す図。
【図４ｂ】図１ａ、図１ｂ、及び図２のうちの少なくとも１つに示されているような実施形態に従った、基地局と端末との間で初期アクセスを確立するプロセスにおける、基地局と端末との間の非分割ＳＳＢ送信の別の例を示す図。
【図５ａ】図４ａに示されているような分割ＳＳＢ送信に従ったＳＳＢ送信のタイミングの一例を示す図。
【図５ｂ】図４ａに示されているような分割ＳＳＢ送信及び図４ｂに示されているような非分割ＳＳＢ送信に従ったＳＳＢ送信のタイミングの一例を示す図。
【図６ａ】図４ａに示されているような分割ＳＳＢ送信を含む、基地局と端末との間で初期アクセスを確立するプロセスにおけるランダムアクセスチャネル（ＲＡＣＨ）手順の一例を示す図（この例では、分割ＳＳＢ送信における各ＳＳＢ  ＣＯＴは、ＳＳＢ  ＣＯＴグループを形成する）。
【図６ｂ】図４ａに示されているような分割ＳＳＢ送信を含む、基地局と端末との間で初期アクセスを確立するプロセスにおけるＲＡＣＨ手順の別の例を示す図（この例では、分割ＳＳＢ送信における各ＳＳＢ  ＣＯＴは、ＳＳＢ  ＣＯＴグループを形成する）。
【図７ａ】図４ａに示されているような分割ＳＳＢ送信を含む、基地局と端末との間で初期アクセスを確立するプロセスにおけるＲＡＣＨ手順の更に別の例を示す図（この例では、分割ＳＳＢ送信におけるＳＳＢ  ＣＯＴは、２つのＳＳＢ  ＣＯＴグループに分配される）。
【図７ｂ】図４ａに示されているような分割ＳＳＢ送信を含む、基地局と端末との間で初期アクセスを確立するプロセスにおけるＲＡＣＨ手順の更に別の例を示す図（この例では、分割ＳＳＢ送信におけるＳＳＢ  ＣＯＴは、２つのＳＳＢ  ＣＯＴグループに分配される）。
【図８ａ】図４ｂに示されているような非分割ＳＳＢ送信を含む、基地局と端末との間で初期アクセスを確立するプロセスにおけるＲＡＣＨ手順の一例を示す図。
【図８ｂ】図４ｂに示されているような非分割ＳＳＢ送信を含む、基地局と端末との間で初期アクセスを確立するプロセスにおけるＲＡＣＨ手順の別の例を示す図。
【図９ａ】ＳＳＢ−物理ランダムアクセスチャネルオケージョン（ＲＯ）マッピングルールを示す図。
【図９ｂ】ＳＳＢ−物理ランダムアクセスチャネルオケージョン（ＲＯ）マッピングルールを示す図。
【図９ｃ】ＳＳＢ−物理ランダムアクセスチャネルオケージョン（ＲＯ）マッピングルールを示す図。
【図９ｄ】ＳＳＢ−物理ランダムアクセスチャネルオケージョン（ＲＯ）マッピングルールを示す図。
【図９ｅ】ＳＳＢ−物理ランダムアクセスチャネルオケージョン（ＲＯ）マッピングルールを示す図。
【図１０】図３〜図９に示されているような様々な実施形態に従った、初期アクセスを確立するための基地局の別の概略的な例を示す図。
【図１１】図３〜図９に示されているような様々な実施形態に従った、初期アクセスを確立するための端末の別の概略的な例を示す図。
【発明を実施するための形態】
【００１４】
本開示のいくつかの実施形態が、例示として、図面を参照して説明される。図面中の同様の参照番号及び文字は、同様の要素又は同等の要素を指す。
【００１５】
以下の段落において、特定の例示的な実施形態が、５Ｇ  ＮＲ通信システムにおいて初期アクセスを確立するための基地局及び端末に関して説明される。５Ｇ  ＮＲ通信システムは、ＮＲスタンドアロンシステムであってよい。ＮＲスタンドアロンシステムは、ライセンス帯域で動作することもできるし、アンライセンス帯域で動作することもできるし、又は、ライセンス帯域及びアンライセンス帯域の両方で動作することもできる。ＮＲスタンドアロンシステムが、ライセンス帯域及びアンライセンス帯域の両方で動作する場合、ＮＲスタンドアロンシステムは、ＮＲライセンス補助アクセス（ＮＲ−ＬＡＡ）を利用して、アンライセンス帯域におけるＤＬ及びＵＬデータ伝送をサポートすることができる。ライセンス帯域で動作する又はライセンス帯域及びアンライセンス帯域の両方で動作するＮＲスタンドアロンシステムでは、初期アクセスは、ライセンス帯域において基地局と端末との間で通信することによって確立される。しかしながら、本開示に従うと、アンライセンス帯域において動作するＮＲスタンドアロンシステムでは、初期アクセスは、アンライセンス帯域において基地局と端末との間で通信することによって確立される。初期アクセスの確立は、基地局におけるＬＢＴ手順に従ってよい。ＬＢＴ手順では、基地局は、現在のチャネルがアイドルであるかどうかをチェックする。現在のチャネルがアイドルである場合、基地局は、最初の同期信号／物理報知チャネルブロック（ＳＳＢ）チャネル占有時間（ＣＯＴ）を得て、最初のＳＳＢ  ＣＯＴ内で候補ＳＳＢを送信することができる。基地局はまた、最初のＳＳＢ  ＣＯＴの持続時間に基づいて、候補ＳＳＢを送信するために必要とされるＳＳＢ  ＣＯＴの数を決定することができる。候補ＳＳＢの全ては、同期信号（ＳＳ）バーストセットを構成する。
【００１６】
端末は、５Ｇ  ＮＲ通信システムを介して提供される様々なサービス及び／又はアプリケーションにアクセスするために使用されてよい。５Ｇ  ＮＲ通信システムにおいて、アクセスは、通信デバイスと適切なアクセスシステムとの間のＮＲアクセスインタフェースを介して提供される。端末は、基地局を介して無線で通信システムにアクセスすることができる。基地局は、セルラーシステムの１つ以上のセルを提供することができる。
【００１７】
図１ａは、本開示に従って端末との初期アクセスを確立するために使用することができる基地局１００の概略的な部分区分け図を示している。同様に、図１ｂは、本開示に従って、図１ａに示されているような基地局との初期アクセスを確立するために使用することができる端末１５０の概略的な部分区分け図を示している。
【００１８】
基地局１００及び端末１５０の様々な機能及び動作は、階層モデルに従ってレイヤ化されている。このモデルにおいて、下位レイヤは、３ＧＰＰ  ５Ｇ  ＮＲ仕様に従って、上位レイヤに報告し、上位レイヤから指示を受信する。簡潔にするために、階層モデルの詳細は、本開示において説明されない。
【００１９】
図１ａに示されているように、基地局１００は、典型的には、少なくとも１つの無線送信部１０２と、少なくとも１つの無線受信部１０４と、少なくとも１つのアンテナ１０８と、図１ｂに示されているような端末１５０等の端末へのアクセス及びこのような端末との通信の制御を含む、実行するように設計されているタスクのソフトウェア及びハードウェア支援実行に使用される少なくとも１つの制御部１０６と、を備える。データ処理装置、記憶装置、及び他の関連する制御装置は、適切な回路基板上に且つ／又はチップセット内に設けられてよい。様々な実施形態において、動作中、少なくとも１つの無線送信部１０２、少なくとも１つの無線受信部１０４、及び少なくとも１つのアンテナ１０８は、少なくとも１つの制御部１０６によって制御されてよい。
【００２０】
同様に、図１ｂに示されているように、端末１５０は、典型的には、少なくとも１つの無線受信部１５４と、少なくとも１つの無線送信部１５２と、少なくとも１つのアンテナ１５８と、図１ａに示されているような基地局１００等の基地局へのアクセス及びこのような基地局を介した通信の制御を含む、実行するように設計されているタスクのソフトウェア及びハードウェア支援実行に使用される少なくとも１つの制御部１５６と、を備える。データ処理装置、記憶装置、及び他の関連する制御装置は、適切な回路基板上に且つ／又はチップセット内に設けられてよい。様々な実施形態において、動作中、少なくとも１つの無線送信部１５２、少なくとも１つの無線受信部１５４、及び少なくとも１つのアンテナ１５８は、少なくとも１つの制御部１５６によって制御されてよい。
【００２１】
基地局１００の少なくとも１つの無線送信部１０２、少なくとも１つの無線受信部１０４、及び少なくとも１つの制御部１０６、並びに、端末１５０の少なくとも１つの無線送信部１５２、少なくとも１つの無線受信部１５４、及び少なくとも１つの制御部１５６は、動作中、本開示の実施形態に従った、端末１５０と基地局１００との間で初期アクセスを確立するために必要とされる機能を提供する。
【００２２】
例えば、基地局１００の少なくとも１つの無線送信部１０２は、動作中、同期信号（ＳＳ）バーストセットにおける候補同期信号／物理報知チャネルブロック（ＳＳＢ）を端末１５０の少なくとも１つの無線受信部１５４に送信するよう構成されてよい。
【００２３】
図４ａにおいて例示されているように（更なる詳細は後述される）、各候補ＳＳＢは、プライマリ同期信号及びセカンダリ同期信号（ＰＳＳ、ＳＳＳ）並びに物理報知チャネル（ＰＢＣＨ）を含む。各ＰＳＳ又はＳＳＳは、１シンボル及び１２７サブキャリアを占有する。ＰＢＣＨは、３ＯＦＤＭシンボル及び２４０サブキャリアにわたるが、１シンボルにおいて、ＳＳＳ用に中央に未使用部分を残している。３ＧＰＰ  ＴＳ３８．３００  Ｖ１５．２．０において定義されているように、ＳＳＢの周期（すなわちＳＳバーストセット期間）は、５Ｇ  ＮＲ通信システムにおける５Ｇコアネットワーク（５ＧＣ）によって設定されてよい。３ＧＰＰ  ＴＳ３８．３００  Ｖ１５．２．０において定義されているように、端末１５０は、５ＧＣにおけるネットワークが異なるサブキャリア間隔をとるように端末１５０を設定していない限り、ＳＳＢについて帯域固有サブキャリア間隔をとることができる。本開示において、基地局１００は、５Ｇ  ＮＲ通信システムにおけるアンライセンス帯域で動作するので、ＳＳＢを送信できるタイミングは、基地局１００において実行されるＬＢＴ手順の結果に依存する。上述したように、ＬＢＴ手順では、基地局１００は、現在のチャネルがアイドルであるかどうかをチェックする。現在のチャネルがアイドルである場合、基地局１００は、最初のＳＳＢチャネル占有時間（ＣＯＴ）を得て、最初のＳＳＢ  ＣＯＴ内で候補ＳＳＢを送信することができる。基地局１００はまた、最初のＳＳＢ  ＣＯＴの持続時間に基づいて、ＳＳバーストセットにおける候補ＳＳＢを送信するために必要とされるＳＳＢ  ＣＯＴの数を決定することができる。
【００２４】
５Ｇ  ＮＲ通信システムにおいて、基地局１００は、図１ａに示されているような少なくとも１つの無線送信部１０２及び少なくとも１つのアンテナ１０８によって、異なる方向にビームを周期的に送信するよう構成されてよい。いくつかの実施形態において、ビームの送信は、基地局１００の少なくとも１つの制御部１０６によって制御される。５Ｇ  ＮＲ通信システムの更なる情報が図２に提供されている。様々な実施形態に従うと、基地局１００の少なくとも１つの無線送信部１０２は、（図２に示されているように）ビームスイーピング手順を介して、１つ以上のＳＳＢチャネル占有時間（ＳＳＢ  ＣＯＴ）内で、ＳＳバーストセットにおける候補ＳＳＢを端末１５０の少なくとも１つの無線受信部１５４に送信することができる。ビームの各々は、候補ＳＳＢのうちの１つを送信するよう構成されてよい。１つ以上のＳＳＢ  ＣＯＴは、ＬＢＴ手順を用いて基地局１００によって得られる。候補ＳＳＢの各々は、候補ＳＳＢのうちの最後のＳＳＢに関する情報を含むことができる。例えば、いくつかの実施形態において、候補ＳＳＢの各々に含まれるＰＢＣＨは、ＳＳＢインデックスの指示を運ぶ。候補ＳＳＢの各々に含まれるＰＢＣＨは、現在のＳＳＢ  ＣＯＴにおいて送信された候補ＳＳＢの数の指示、現在のＳＳＢ  ＣＯＴが１つ以上のＳＳＢ  ＣＯＴのうちの最初のＳＳＢ  ＣＯＴであるかどうかの指示、現在のＳＳＢ  ＣＯＴが１つ以上のＳＳＢ  ＣＯＴのうちの最後のＳＳＢ  ＣＯＴであるかどうかの指示、及び、現在のＳＳＢが現在のＳＳＢ  ＣＯＴ内で送信された最後のＳＳＢであるかどうかの指示を運ぶことができる。
【００２５】
いくつかの例において、基地局１００の少なくとも１つの制御部１０６は、動作中、基地局１００の少なくとも１つの無線送信部１０２における、端末１５０の少なくとも１つの無線受信部１５４への候補ＳＳＢの送信を制御するよう構成されてよい。
【００２６】
同様に、いくつかの例において、端末１５０の少なくとも１つの制御部１５６は、動作中、基地局１００から受信された候補ＳＳＢを解析し、４ステップランダムアクセスチャネル（ＲＡＣＨ）手順又は２ステップＲＡＣＨ手順における、基地局１００の少なくとも１つの無線受信部１０４へのアップリンク（ＵＬ）送信を制御するよう構成されてよい。４ステップＲＡＣＨ手順及び２ステップＲＡＣＨ手順の詳細は、以下の段落において説明される。
【００２７】
基地局１００の少なくとも１つの制御部１０６は、動作中、候補ＳＳＢを送信するための１つ以上のＳＳＢ  ＣＯＴの数、すなわち、１つのＳＳＢ  ＣＯＴ内で候補ＳＳＢを送信するか又は複数のＳＳＢ  ＣＯＴ内で候補ＳＳＢを送信するか、を決定するよう構成されている。
【００２８】
いくつかの実施形態において、１つ以上のＳＳＢ  ＣＯＴの数は、上述したように、基地局１００において実行されるＬＢＴ手順の結果に基づいて決定されてよい。例えば、ＬＢＴ手順の結果が、１つ以上のＳＳＢ  ＣＯＴのうちの最初のＳＳＢ  ＣＯＴの持続時間が、ＳＳバーストセットにおける全ての候補ＳＳＢを送信するために必要とされる持続時間以上であることを示す場合、１つ以上のＳＳＢ  ＣＯＴの数は１つであり、ＬＢＴ手順の結果が、１つ以上のＳＳＢ  ＣＯＴのうちの最初のＳＳＢ  ＣＯＴの持続時間が、ＳＳバーストセットにおける全ての候補ＳＳＢを送信するために必要とされる持続時間未満であることを示す場合、１つ以上のＳＳＢ  ＣＯＴの数は２つ以上である。
【００２９】
一例において、１つ以上のＳＳＢ  ＣＯＴの数が１つである場合、基地局１００の少なくとも１つの制御部１０６は、現在の初期アクセス手順において非分割ＳＳＢ送信（non-segmented SSB transmission）を用いることを決定し、１つのＳＳＢ  ＣＯＴ内で候補ＳＳＢを端末１５０の少なくとも１つの無線受信部１５４に送信するために、対応する信号を少なくとも１つの無線送信部１０２に送ることができる。このシナリオにおいて、基地局１００の少なくとも１つの制御部１０６は、現在のＳＳＢ  ＣＯＴが、１つ以上のＳＳＢ  ＣＯＴのうちの最初のＳＳＢ  ＣＯＴであり且つ最後のＳＳＢ  ＣＯＴであるという指示と、現在のＳＳＢ  ＣＯＴ内で送信される候補ＳＳＢの数が、ＳＳバーストセットにおける候補ＳＳＢの総数であるという指示と、を設定することができる。基地局１００の少なくとも１つの制御部１０６は、ＳＳバーストセット内の候補ＳＳＢの各々をインデックス付けする。端末１５０の少なくとも１つの制御部１５６は、受信されたＳＳＢのＳＳＢインデックスとＳＳバーストセット内の候補ＳＳＢの総数との比較に基づいて、受信されたＳＳＢが候補ＳＳＢのうちの最後のＳＳＢであるかどうかを判別することができる。例えば、少なくとも１つの制御部１５６は、ＳＳバーストセット内に１２個の候補ＳＳＢが存在し、受信されたＳＳＢが１２というＳＳＢインデックスを有すると判別することがある。この場合、受信されたＳＳＢは、最後のＳＳＢであると判別されてよい。
【００３０】
別の例において、１つ以上のＳＳＢ  ＣＯＴの数が２つ以上である場合、基地局１００の少なくとも１つの制御部１０６は、現在の初期アクセス手順において分割ＳＳＢ送信（segmented SSB transmission）を用いることを決定し、候補ＳＳＢを端末１５０の少なくとも１つの無線受信部１５４に送信するために、対応する信号を少なくとも１つの無線送信部１０２に送ることができる。例えば、現在のチャネルがアイドルである場合、基地局１００の少なくとも１つの制御部１０６は、ＬＢＴ手順に従って最初のＳＳＢ  ＣＯＴを得ることができる。基地局１００の少なくとも１つの制御部１０６は、最初のＳＳＢ  ＣＯＴを得ると、ＳＳバーストセットにおける残りの候補ＳＳＢを送信するために、いくつの更なるＳＳＢ  ＣＯＴが必要とされるかを決定することができない場合がある。これは、チャネル状態が、様々な要因（例えば、オーバーラップするＮＲシステム、ＬＴＥシステム、又はＷｉ−Ｆｉ（登録商標）システムからの送信等）に応じて変わり得るため、更なるＳＳＢ  ＣＯＴの数は、基地局１００によって実行される後続のＬＢＴ手順の結果に依存するからである。一実施形態において、基地局１００の少なくとも１つの制御部１０６は、ＳＳバーストセットにおける全ての候補ＳＳＢが送信されたかどうかを判定するよう構成されている。すなわち、少なくとも１つの制御部１０６は、更なるＳＳＢ  ＣＯＴが必要とされるかどうかを判定するよう構成されている。基地局１００の少なくとも１つの制御部１０６は、ＳＳＢ  ＣＯＴがＳＳバーストセット期間における最後のＳＳＢ  ＣＯＴであるかどうかに関する情報を提供するよう構成されている。上述したように、このような情報は、候補ＳＳＢの各々のＰＢＣＨに含まれてよい。
【００３１】
ＰＲＡＣＨオケージョン（ＲＯ）リソースの効率的な使用を確実にするために、分割ＳＳＢ送信中、基地局１００の少なくとも１つの制御部１０６は、ＳＳＢ送信のために、２つ以上のＳＳＢ  ＣＯＴを１つ以上のＳＳＢ  ＣＯＴグループに分配することができる。各ＳＳＢ  ＣＯＴグループには、当該ＳＳＢ  ＣＯＴグループ内で送信される候補ＳＳＢの各々に関連付けられている１つ以上のＰＲＡＣＨオケージョン（ＲＯ）が提供される。換言すれば、分割ＳＳＢ送信中、基地局１００の少なくとも１つの制御部１０６は、少なくとも１つの無線送信部１０２によって、１つ以上のＳＳＢ  ＣＯＴグループ内でＳＳバーストセットにおける候補ＳＳＢを送信することを決定することができ、ここで、１つ以上のＳＳＢ  ＣＯＴグループの各々は、１つ以上のＳＳＢ  ＣＯＴを含むことができる。
【００３２】
このようにして、基地局１００の少なくとも１つの制御部１０６は、端末１５０の少なくとも１つの無線受信部１５４が、最良のビーム又は十分に良い品質を有するビームを端末１５０の少なくとも１つの制御部１５６が選択するのに十分な複数のＳＳＢを受信できるように、ＳＳＢ  ＣＯＴグループで送信される十分な数のＳＳＢを決定することができる。このようにして、本開示は、有利なことに、端末１５０の少なくとも１つの無線送信部１５２がＲＡＣＨ手順に利用するために、ＳＳＢに関連付けられているＰＲＡＣＨオケージョン（ＲＯ）を無駄にすることになる、ＳＳＢ  ＣＯＴにおけるＳＳＢを送信するビームが、端末が使用するのに十分に良い質を有していないシナリオを回避する。有利なことに、２つ以上のＳＳＢ  ＣＯＴを１つ以上のＳＳＢ  ＣＯＴグループに分配することによって、本開示は、ＳＳＢに関連付けられているＲＯの効率的な使用を確実にし、このことは、基地局１００と端末１５０との間のより効率的で信頼できる通信を可能にする。
【００３３】
１つ以上のＳＳＢ  ＣＯＴグループにおける分割ＳＳＢ送信の詳細が、図６ａ、図６ｂ、図７ａ、及び図７ｂに示されている。例えば、１つ以上のＳＳＢ  ＣＯＴグループの各々は、候補ＳＳＢのうちの対応する数のＳＳＢが送信される持続時間を有する。このシナリオにおいて、基地局１００の少なくとも１つの制御部１０６は、ＳＳＢ  ＣＯＴグループ内の対応する数のＳＳＢの各々をインデックス付けする。各ＳＳＢがインデックス付けされ、各ＳＳＢインデックスがそれぞれのＳＳＢとともに送信されることによって、端末１５０の少なくとも１つの制御部１５６は、受信されたＳＳＢが現在のＳＳＢ  ＣＯＴ内で送信された最後のＳＳＢであるかどうかの指示と、現在のＳＳＢ  ＣＯＴがＳＳバーストセット期間における最後のＳＳＢ  ＣＯＴであるかどうかの指示と、に基づいて、受信されたＳＳＢがＳＳバーストセットにおける候補ＳＳＢのうちの最後のＳＳＢであるかどうかを判別することができる。いくつかの実施形態において、候補ＳＳＢの各々に含まれるＰＢＣＨは、現在のＳＳＢ  ＣＯＴが現在のＳＳＢ  ＣＯＴグループ内の最後のＳＳＢ  ＣＯＴであるかどうかの指示を運ぶことができる。端末１５０の少なくとも１つの制御部１５６は、受信されたＳＳＢが現在のＳＳＢ  ＣＯＴ内で送信された最後のＳＳＢであるかどうかの指示と、現在のＳＳＢ  ＣＯＴが現在のＳＳＢ  ＣＯＴグループ内の最後のＳＳＢ  ＣＯＴであるかどうかの指示と、に基づいて、受信されたＳＳＢが現在のＳＳＢ  ＣＯＴグループ内で送信された候補ＳＳＢのうちの最後のＳＳＢであるかどうかを判別することができる。
【００３４】
更に、基地局１００の少なくとも１つの無線送信部１０２は、動作中、物理ランダムアクセスチャネル（ＰＲＡＣＨ）設定情報を端末１５０の少なくとも１つの無線受信部１５４に送信するよう構成されてよい。ＰＲＡＣＨ設定情報は、他のセル設定パラメータとともに、１つ以上のＳＳＢ  ＣＯＴ内で基地局１００の少なくとも１つの無線送信部１０２によって端末１５０の少なくとも１つの無線受信部１５４に送信されるＲＭＳＩ（remaining minimum system information）に含まれてよい。
【００３５】
端末１５０の少なくとも１つの制御部１５６が、１つ以上のＳＳＢ  ＣＯＴ内で、最良のビーム又は十分に良い品質を有するビームを識別すると、端末１５０の少なくとも１つの無線送信部１５２は、最良のビーム又は十分に良い品質を有するビームに対応する、候補ＳＳＢのうちの１つに関連付けられているＲＯを用いて、基地局１００とのＲＡＣＨ手順を開始するように、少なくとも１つの制御部１５６によって設定されてよい。ＲＯは、端末１５０の少なくとも１つの無線送信部１５２がＰＲＡＣＨプリアンブルを基地局１００に送信できる時間−周波数リソースである。
【００３６】
本開示において、端末１５０の少なくとも１つの制御部１５６は、異なる方向を介して基地局１００から受信される全てのビームのうちの最良のビームを識別することができる。最良のビームを介して送信されるＳＳＢは、端末１５０が利用するのに最も適している１つ以上のＲＯに関連付けられている。
【００３７】
本開示において、端末１５０の少なくとも１つの制御部１５６は、十分に良いビームを選択するための閾値を適用することができる。閾値は、上位レイヤシグナリングによって示されてよい。上位レイヤシグナリングは、ＲＭＳＩにおいて運ばれてよい。
【００３８】
本開示において、ＲＡＣＨ手順は、基地局１００の少なくとも１つの無線送信部１０２から端末１５０の少なくとも１つの無線受信部１５４への候補ＳＳＢの送信後に行われる４ステップＲＡＣＨ手順又は２ＲＡＣＨステップ手順であってよい。４ステップＲＡＣＨ手順の一例が、図３ａにおけるステップ３１０、３１２、３１４、及び３１６として示されている。２ステップＲＡＣＨ手順の一例が、図３ｂにおけるステップ３６０及び３６２として示されている。
【００３９】
いくつかの例では、４ステップＲＡＣＨ手順の第１ステップにおいて、基地局１００の少なくとも１つの無線受信部１０４は、端末１５０の少なくとも１つの無線送信部１５２から、ＲＯにおけるＰＲＡＣＨプリアンブルを受信するよう構成されてよい。上述したように、ＲＯは、端末１５０がＰＲＡＣＨプリアンブルを基地局１００に送信できる時間−周波数リソースである。ＲＯは、基地局１００から送信された候補ＳＳＢのうちの１つのＳＳＢに関連付けられている。
【００４０】
候補ＳＳＢが、分割ＳＳＢ送信において１つ以上のＳＳＢ  ＣＯＴグループ内で送信されるいくつかの例において、基地局１００の少なくとも１つの無線受信部１０４は、端末１５０の少なくとも１つの無線送信部１５２から、１つ以上のＳＳＢ  ＣＯＴグループ内のＲＯにおけるＰＲＡＣＨプリアンブルを受信するよう構成されてよい。１つ以上のＳＳＢ  ＣＯＴグループにおける分割ＳＳＢ送信の詳細は、図６ａ、図６ｂ、図７ａ、及び図７ｂに示されている。
【００４１】
様々な実施形態において、候補ＳＳＢの各々に関連付けられている１つ以上のＲＯは、基地局１００の少なくとも１つの制御部１０６によって割当てられてよい。１つ以上のＲＯは、１つ以上のＳＳＢ  ＣＯＴ内で送信されたＰＲＡＣＨ設定情報に基づいて、端末１５０の少なくとも１つの制御部１５６によって導出可能であってよい。
【００４２】
様々な実施形態において、基地局１００の少なくとも１つの制御部１０６は、１つ以上のマッピングルールに基づいて、１つ以上のＲＯを候補ＳＳＢの各々に関連付けるよう構成されてよい。１つ以上のマッピングルールは、候補ＳＳＢの各候補ＳＳＢのＳＳＢインデックスと当該候補ＳＳＢに関連付けられる１つ以上のＲＯとの間のルールである。ＳＳＢとＲＯとの（ＳＳＢ−ＲＯ）関連付け関係（例えば、１つのＳＳＢが１つのＲＯに関連付けられている、又は、１つのＳＳＢが複数のＲＯに関連付けられている）は、ＰＲＡＣＨ設定情報において示されてよい。候補ＳＳＢの各候補ＳＳＢのＳＳＢインデックスと当該候補ＳＳＢに関連付けられる１つ以上のＲＯとの間の１つ以上のマッピングルールの詳細は、図９ａ、図９ｂ、図９ｃ、図９ｄ、及び図９ｅに示されており、対応する段落において説明される。
【００４３】
いくつかの例では、４ステップＲＡＣＨ手順の第２ステップにおいて、基地局１００の少なくとも１つの無線送信部１０２は、更に、端末１５０の少なくとも１つの無線送信部１５２からのＰＲＡＣＨプリアンブルの受信に応じて、ランダムアクセス（ＲＡ）応答を送信するよう構成されてよい。ＲＡ応答は、端末１５０へのＵＬグラントを含むことができる。いくつかの例において、ＲＡ応答は、基地局１００の少なくとも１つの無線送信部１０２によって、１つ以上のＳＳＢ  ＣＯＴ内で、端末１５０の少なくとも１つの無線受信部１５４に送信されてよい。いくつかの他の例において、ＲＡ応答は、基地局１００の少なくとも１つの無線送信部１０２によって、１つ以上のＳＳＢ  ＣＯＴの後に、端末１５０の少なくとも１つの無線受信部１５４に送信されてもよい。
【００４４】
いくつかの例では、４ステップＲＡＣＨ手順の第３ステップにおいて、基地局１００の少なくとも１つの無線受信部１０４は、基地局１００の少なくとも１つの無線送信部１０２からのＲＡ応答の受信に応じた端末１５０の少なくとも１つの無線送信部１５２から、無線リソース制御（ＲＲＣ）接続要求メッセージを受信するよう構成されてよい。いくつかの例において、ＲＲＣ接続要求メッセージは、端末１５０の少なくとも１つの無線送信部１５２によって、１つ以上のＳＳＢ  ＣＯＴ内で、基地局１００の少なくとも１つの無線受信部１０４に送信されてよい。いくつかの他の例において、ＲＲＣ接続要求メッセージは、端末１５０の少なくとも１つの無線送信部１５２によって、１つ以上のＳＳＢ  ＣＯＴの後に、基地局１００の少なくとも１つの無線受信部１０４に送信されてもよい。
【００４５】
いくつかの例では、４ステップＲＡＣＨ手順の第４ステップにおいて、基地局１００の少なくとも１つの無線送信部１０２は、端末１５０の少なくとも１つの無線送信部１５２からのＲＲＣ接続要求メッセージの受信に応じて、ＲＲＣ接続セットアップメッセージを送信するよう構成されてよい。いくつかの例において、ＲＲＣ接続セットアップメッセージは、基地局１００の少なくとも１つの無線送信部１０２によって、１つ以上のＳＳＢ  ＣＯＴ内で、端末１５０の少なくとも１つの無線受信部１５４に送信されてよい。いくつかの他の例において、ＲＲＣ接続セットアップメッセージは、基地局１００の少なくとも１つの無線送信部１０２によって、１つ以上のＳＳＢ  ＣＯＴの後に、端末１５０の少なくとも１つの無線受信部１５４に送信されてもよい。
【００４６】
代替実施形態において、上述した４ステップＲＡＣＨ手順は、２ステップＲＡＣＨ手順として実施されてもよい。
【００４７】
いくつかの例では、２ステップＲＡＣＨ手順の第１のステップにおいて、基地局１００の少なくとも１つの無線受信部１０４は、端末１５０の少なくとも１つの無線送信部１５２から、ＲＯにおけるＰＲＡＣＨプリアンブルとともにＲＲＣ接続要求メッセージを受信するよう構成されてよい。いくつかの例において、ＰＲＡＣＨプリアンブルとともにＲＲＣ接続要求メッセージは、端末１５０の少なくとも１つの無線送信部１５２によって、１つ以上のＳＳＢ  ＣＯＴ内で、基地局１００の少なくとも１つの無線受信部１０４に送信されてよい。いくつかの他の例において、ＰＲＡＣＨプリアンブルとともにＲＲＣ接続要求メッセージは、端末１５０の少なくとも１つの無線送信部１５２によって、１つ以上のＳＳＢ  ＣＯＴの後に、基地局１００の少なくとも１つの無線受信部１０４に送信されてもよい。
【００４８】
いくつかの例では、２ステップＲＡＣＨ手順の第２ステップにおいて、基地局１００の少なくとも１つの無線送信部１０２は、ＲＡ応答とともにＲＲＣ接続セットアップメッセージを端末１５０の少なくとも１つの無線受信部１５４に送信するよう構成されてよい。いくつかの例において、ＲＡ応答とともにＲＲＣ接続セットアップメッセージは、基地局１００の少なくとも１つの無線送信部１０２によって、１つ以上のＳＳＢ  ＣＯＴ内で、端末１５０の少なくとも１つの無線受信部１５４に送信されてよい。いくつかの他の例において、ＲＡ応答とともにＲＲＣ接続セットアップメッセージは、基地局１００の少なくとも１つの無線送信部１０２によって、１つ以上のＳＳＢ  ＣＯＴの後に、端末１５０の少なくとも１つの無線受信部１５４に送信されてもよい。
【００４９】
４ステップＲＡＣＨ手順の全てのメッセージ伝送が依然として２ステップＲＡＣＨ手順にあるので、代替実施形態において利用される２ステップＲＡＣＨ手順は、有利なことに、端末１５０と基地局１００との間で初期アクセスを確立するための効率的で簡略化された手順を提供することが、当業者には理解されるであろう。
【００５０】
４ステップＲＡＣＨ手順又は２ステップＲＡＣＨ手順が成功裏に完了した場合、端末１５０と基地局１００との間の初期アクセスは、最良のビーム又は基地局１００にとって十分良い品質を有するビームを介して確立される。その後、データ伝送が、この端末固有（専用）ビームにおいて行われてよい。
【００５１】
上述したような例において、基地局１００の少なくとも１つの無線送信部１０２は、ＳＳＢ  ＣＯＴにおける候補ＳＳＢの各々の間の間隔を伴う候補ＳＳＢを端末１５０の少なくとも１つの無線受信部１５４に送信するよう構成されている。いくつかの実施形態において、この間隔は、より長い持続時間の別のＳＳＢ  ＣＯＴにおいて送信される候補ＳＳＢの各々の間の間隔よりも短いことがある。いくつかの他の実施形態において、この間隔は、より長い持続時間の別のＳＳＢ  ＣＯＴにおいて送信される候補ＳＳＢの各々の間の間隔よりも長いこともあるし、又は、より長い持続時間の別のＳＳＢ  ＣＯＴにおいて送信される候補ＳＳＢの各々の間の間隔と同じであることもある。いくつかの例において、この間隔は、任意のＳＳＢ  ＣＯＴにおいて同じに保たれてよい。例えば、この間隔はゼロである（すなわち、候補ＳＳＢは、ＳＳＢ  ＣＯＴにおいて連続的に送信される）。
【００５２】
上述したような例に鑑みて、本開示が、ライセンス帯域で動作する又はライセンス帯域及びアンライセンス帯域の両方で動作するＮＲスタンドアロンシステムにおいて用いられる場合、基地局１００の少なくとも１つの無線送信部１０２は、候補ＳＳＢの各々の間の間隔で、新無線ライセンス補助アクセス（ＮＲ  ＬＡＡ）チャネルにおいて候補ＳＳＢを送信するよう構成されてよい。この間隔は、新無線通常（ＮＲ通常）チャネルにおいて送信される候補ＳＳＢの各々の間の間隔よりも短いことがある。いくつかの他の実施形態において、この間隔は、ＮＲ通常チャネルにおいて送信される候補ＳＳＢの各々の間の間隔よりも長いこともあるし、又は、ＮＲ通常チャネルにおいて送信される候補ＳＳＢの各々の間の間隔と同じであることもある。
【００５３】
図２は、本開示の様々な実施形態に従った、初期アクセスが基地局２０２と端末２０４との間で確立され得る、基地局２０２及び端末２０４を有する５Ｇ  ＮＲ通信システム２００の概略図を示している。
【００５４】
図２に示されているように、５Ｇ  ＮＲ通信システム２００における基地局２０２は、ｎｇＮｏｄｅＢ（ｇＮＢ）２０２と称されることがある。基地局２０２は、適切なゲートウェイを介してデータネットワークに接続されてよい。簡潔にするために、データネットワーク及びゲートウェイは、添付の図面には示されていない。５Ｇ  ＮＲ  ３ＧＰＰ仕様（例えば、３ＧＰＰ  ＴＳ３８．３００  Ｖ１５．２．０）において、ｇＮＢ２０２は、端末２０４（ユーザ機器すなわちＵＥと同義に称されることがある）に向けてＮＲユーザプレーン及び制御プレーンプロトコル終端を提供し、新世代（ＮＧ）インタフェースを介して５Ｇコアネットワーク（５ＧＣ（図２には示されていない））に接続されるノードである。
【００５５】
図１ａ及び図１ｂに関して上述したように、５Ｇ  ＮＲ通信システム２００において、ｇＮＢ２０２は、図１ａに示されているような少なくとも１つの無線送信部１０２及び少なくとも１つのアンテナ１０８によって、Ｎ個のビームを介してＮ個のＳＳＢを周期的に送信する。このような手順は、図２に示されているように、ビームスイーピングとして知られている。端末２０４がデータを送受信するために、端末２０４は、まず、図１ｂに示されているような少なくとも１つのアンテナ１５８及び少なくとも１つの無線受信部１５４を介してビームを取得することによって、ｇＮＢ２０２に接続する必要がある。端末２０４が、最良のビーム又は十分に良い品質を有するビームを識別すると、端末２０４は、識別されたビームを介して基地局１００との初期アクセスを確立するためにＲＡＣＨ手順を開始する。ＲＡＣＨ手順が成功裏に完了した後、端末２０４とｇＮＢとの間の初期アクセスは、識別されたビームを介して確立される。その後、データ伝送が、この端末固有（専用）ビームにおいて行われてよい。
【００５６】
図３ａ及び図３ｂは、本開示の２つの例に従って、５Ｇ  ＮＲ通信システムにおいて端末３０４と基地局３０２との間で初期アクセスを確立するための方法を示している。図３ａ及び図３ｂの例示的な例において、基地局３０２はｇＮＢ３０２である。基地局３０２はｎｇ−ｅＮＢであってもよく、ｎｇ−ｅＮＢは、端末に向けて進化型ユニバーサル移動通信システム（ＵＭＴＳ）地上無線アクセス（Ｅ−ＵＴＲＡ）ユーザプレーン及び制御プレーンプロトコル終端を提供し、ＮＧインタフェースを介して５ＧＣに接続されるノードである。
【００５７】
図３ａに示されているように、方法の一例３００は、少なくともステップ３０６及び３１０を含む。ステップ３０６において、基地局３０２は、１つ以上のＳＳＢ  ＣＯＴ内のＳＳバーストセットにおける候補ＳＳＢを端末３０４に送信する。端末３０４の観点から、ステップ３０６において、端末３０４は、基地局３０２からＳＳバーストセットにおける候補ＳＳＢを受信する。候補ＳＳＢは、ＳＳバーストセット期間において１つ以上のＳＳＢ  ＣＯＴ内で基地局３０２から送信される。
【００５８】
候補ＳＳＢの送信が、図４ａ、図４ｂ、図５ａ、図５ｂ、図６ａ、図６ｂ、図７ａ、図７、図８ａ、及び図８ｂに関して更に説明される。図１ａ及び図１ｂに関して上述したように、基地局３０２は、複数のビーム（例えば、図２に示されているようなＮ個のビーム）をスイープすることによって、候補ＳＳＢを送信することができる。複数のビームの各々は、候補ＳＳＢのうちの１つを送信するよう構成されてよい。候補ＳＳＢを送信するためにビームスイーピングを用いることによって、基地局３０２のセルカバレッジを有利に拡大することができる。
【００５９】
ステップ３１０において、基地局３０２は、端末３０４から、ＲＯにおけるＰＲＡＣＨプリアンブル（Ｍｓｇ１として示されている）を受信する。ＲＯは、送信された候補ＳＳＢのうちの１つのＳＳＢに関連付けられている。
【００６０】
端末３０４の観点から、ステップ３１０において、端末３０４は、ＲＯにおけるＰＲＡＣＨプリアンブル（Ｍｓｇ１として示されている）を基地局３０２に送信する。ＲＯは、受信された候補ＳＳＢのうちの１つのＳＳＢに関連付けられている。
【００６１】
図３ａと同様に、図３ｂに示されている方法の一例３５０は、少なくともステップ３５６及び３６０を含む。ステップ３５６において、基地局３０２は、１つ以上のＳＳＢ  ＣＯＴ内のＳＳバーストセットにおける候補ＳＳＢを端末３０４に送信する。ステップ３６０において、基地局３０２は、端末３０４から、ＲＯにおけるＰＲＡＣＨプリアンブル（Ｍｓｇ１として示されている）を受信する。ＲＯは、送信された候補ＳＳＢのうちの１つのＳＳＢに関連付けられている。
【００６２】
端末３０４の観点から、ステップ３５６において、端末３０４は、基地局３０２から、ＳＳバーストセットにおける候補ＳＳＢを受信する。候補ＳＳＢは、１つ以上のＳＳＢ  ＣＯＴ内で基地局３０２から送信される。ステップ３６０において、端末３０４は、ＲＯにおけるＰＲＡＣＨプリアンブル（Ｍｓｇ１として示されている）を基地局３０２に送信する。ＲＯは、受信された候補ＳＳＢのうちの１つのＳＳＢに関連付けられている。
【００６３】
方法の例３００、３５０は、ステップ３０８、３５８をそれぞれ含むことができる。ステップ３０８、３５８において、基地局３０２は、ＲＭＳＩにおけるＰＲＡＣＨ設定情報を端末３０４に送信する。端末３０４の観点から、ステップ３０８、３５８において、端末３０４は、基地局３０２からＲＭＳＩにおけるＰＲＡＣＨ設定情報を受信する。
【００６４】
いくつかの例において、ＰＲＡＣＨ設定情報は、１つ以上のＳＳＢ  ＣＯＴ内で送信されてよい。このシナリオでは、ステップ３０６、３５６において、ＰＲＡＣＨ設定情報は、周波数分割多重方式又は時分割多重方式によって、候補ＳＳＢとともに送信されてよい。このようにして、ステップ３０８、３５８は、ステップ３０６、３５６にそれぞれ含まれてよい。
【００６５】
方法の例３００は、ステップ３１２、３１４、及び３１６を更に含むことができる。ステップ３１２において、基地局３０２は、更に、端末３０４からのＰＲＡＣＨプリアンブルの受信に応じて、ＲＡ応答（Ｍｓｇ２として示されている）を送信するよう構成されてよい。したがって、端末３０４の観点から、ステップ３１２において、端末３０４は、更に、基地局３０２へのＰＲＡＣＨプリアンブルの送信に応じて、ＲＡ応答（Ｍｓｇ２として示されている）を受信するよう構成されてよい。
【００６６】
いくつかの例において、ＲＡ応答（Ｍｓｇ２として示されている）は、基地局３０２によって、１つ以上のＳＳＢ  ＣＯＴ内で端末３０４に送信されてよい。いくつかの他の例において、ＲＡ応答（Ｍｓｇ２として示されている）は、基地局３０２によって、１つ以上のＳＳＢ  ＣＯＴの後に端末３０４に送信されてもよい。
【００６７】
ステップ３１４において、基地局３０２は、基地局３０２からのＲＡ応答（Ｍｓｇ２として示されている）の受信に応じた端末３０４からＲＲＣ接続要求メッセージ（Ｍｓｇ３として示されている）を受信するよう構成されてよい。
【００６８】
いくつかの例において、ＲＲＣ接続要求メッセージ（Ｍｓｇ３として示されている）は、端末３０４によって、１つ以上のＳＳＢ  ＣＯＴ内で基地局３０２に送信されてよい。いくつかの他の例において、ＲＲＣ接続要求メッセージ（Ｍｓｇ３として示されている）は、端末３０４によって、１つ以上のＳＳＢ  ＣＯＴの後に基地局３０２に送信されてもよい。
【００６９】
ステップ３１６において、基地局３０２は、端末３０４からのＲＲＣ接続要求メッセージ（Ｍｓｇ３として示されている）の受信に応じてＲＲＣ接続セットアップメッセージ（Ｍｓｇ４として示されている）を送信するよう構成されてよい。
【００７０】
いくつかの例において、ＲＲＣ接続セットアップメッセージ（Ｍｓｇ４として示されている）は、基地局３０２によって、１つ以上のＳＳＢ  ＣＯＴ内で端末３０４に送信されてよい。いくつかの他の例において、ＲＲＣ接続セットアップメッセージ（Ｍｓｇ４として示されている）は、基地局３０２によって、１つ以上のＳＳＢ  ＣＯＴの後に端末３０４に送信されてもよい。
【００７１】
方法の例３５０では、ステップ３６０において、基地局３０２は、端末３０４から、ＲＯにおけるＰＲＡＣＨプリアンブル（Ｍｓｇ１として示されている）とともにＲＲＣ接続要求メッセージ（Ｍｓｇ３として示されている）を受信するよう構成されてよい。
【００７２】
ステップ３６０のいくつかの例において、ＰＲＡＣＨプリアンブル（Ｍｓｇ１として示されている）とともにＲＲＣ接続要求メッセージ（Ｍｓｇ３として示されている）は、端末３０４によって、１つ以上のＳＳＢ  ＣＯＴ内で基地局３０２に送信されてよい。ステップ３６０のいくつかの他の例において、ＰＲＡＣＨプリアンブル（Ｍｓｇ１として示されている）とともにＲＲＣ接続要求メッセージ（Ｍｓｇ３として示されている）は、端末３０４によって、１つ以上のＳＳＢ  ＣＯＴの後に基地局３０２に送信されてもよい。
【００７３】
方法の例３５０は、ステップ３６２を更に含むことができる。ステップ３６２において、基地局３０２は、ＲＡ応答（Ｍｓｇ２として示されている）とともにＲＲＣ接続セットアップメッセージ（Ｍｓｇ４として示されている）を端末３０４に送信するよう構成されてよい。
【００７４】
ステップ３６２のいくつかの例において、ＲＡ応答（Ｍｓｇ２として示されている）とともにＲＲＣ接続セットアップメッセージ（Ｍｓｇ４として示されている）は、基地局３０２によって、１つ以上のＳＳＢ  ＣＯＴ内で端末３０４に送信されてよい。ステップ３６２のいくつかの他の例において、ＲＡ応答（Ｍｓｇ２として示されている）とともにＲＲＣ接続セットアップメッセージ（Ｍｓｇ４として示されている）は、基地局３０２によって、１つ以上のＳＳＢ  ＣＯＴの後に端末３０４に送信されてもよい。
【００７５】
方法の例３００のステップ３１０、３１２、３１４、及び３１６は、４ステップＲＡＣＨ手順を形成するのに対し、方法の例３５０のステップ３６０及び３６２は、２ステップＲＡＣＨ手順を形成する。４ステップＲＡＣＨ手順の全てのメッセージ伝送が依然として２ステップＲＡＣＨ手順にあるので、方法の例３５０において利用される２ステップＲＡＣＨ手順は、有利なことに、端末３０４と基地局３０２との間で初期アクセスを確立するための効率的で簡略化された手順を提供することが、当業者には理解されるであろう。
【００７６】
図４ａは、基地局と端末との間の分割ＳＳＢ送信の一例を示している。図４ｂは、基地局と端末との間の非分割ＳＳＢ送信の一例を示している。
【００７７】
図４ａに示されている分割ＳＳＢ送信の一例において、ＳＳバーストセットにおける候補ＳＳＢは、２つ以上のＳＳＢ  ＣＯＴ内で送信される。候補ＳＳＢ４０４によって例示されているように、候補ＳＳＢの各々は、ＰＳＳ、ＳＳＳ、及びＰＢＣＨを含む。各ＰＳＳ又はＳＳＳは、１シンボル及び１２７サブキャリアを占有する。ＰＢＣＨは、３ＯＦＤＭシンボル及び２４０サブキャリアにわたるが、１シンボルにおいて、ＳＳＳ用に中央に未使用部分を残している。３ＧＰＰ  ＴＳ３８．３００  Ｖ１５．２．０において定義されているように、ＳＳＢの周期は、５ＧＣによって設定されてよい。３ＧＰＰ  ＴＳ３８．３００  Ｖ１５．２．０において定義されているように、端末３０４は、５ＧＣにおけるネットワークが異なるサブキャリア間隔をとるように端末３０４を設定してしない限り、ＳＳＢについて帯域固有サブキャリア間隔をとることができる。
【００７８】
簡潔にするために、図４ａに示されている分割ＳＳＢ送信の一例において、３つのＳＳＢ  ＣＯＴ内で送信される１２個の候補ＳＳＢ４０２、４０４、４０６、４０８、４１０、４１２、４１４、４１６、４１８、４２０、４２２、及び４２４が存在する。いくつかの例において、１２個の候補ＳＳＢは、３つのＳＳＢ  ＣＯＴに均等に分配されてよい。あるいは、図４ａに示されているように、３つのＳＳＢ  ＣＯＴの各ＳＳＢ  ＣＯＴ内の候補ＳＳＢの数は、当該ＳＳＢ  ＣＯＴの持続時間に応じて異なってもよい。図４ａに示されている例において、ＳＳＢ  ＣＯＴ  ２は、ＳＳＢ  ＣＯＴ  ３の持続時間よりも長い持続時間を有し、ＳＳＢ  ＣＯＴ  ３は、ＳＳＢ  ＣＯＴ  １の持続時間よりも長い持続時間を有する。したがって、ＳＳＢ  ＣＯＴ  ２は、ＳＳＢ  ＣＯＴ  ３の候補ＳＳＢ（候補ＳＳＢ４１８、４２０、４２２、及び４２４を含む）と比較して、より多くの候補ＳＳＢ（すなわち、候補ＳＳＢ４０８、４１０、４１２、４１４、及び４１６）を含み、ＳＳＢ  ＣＯＴ  ３は、ＳＳＢ  ＣＯＴ  １の候補ＳＳＢ（候補ＳＳＢ４０２、４０４、及び４０６を含む）よりも多くの候補ＳＳＢを含む。
【００７９】
分割ＳＳＢ送信のいくつかの実施形態において、２つ以上のＳＳＢ  ＣＯＴが、１つ以上のＳＳＢ  ＣＯＴグループに分配されてよい。各ＳＳＢ  ＣＯＴグループは、１つ以上のＳＳＢ  ＣＯＴを含むことができる。１つ以上のＳＳＢ  ＣＯＴグループの例が、図６ａ、図６ｂ、図７ａ、及び図７ｂに示されている。
【００８０】
分割ＳＳＢ送信のいくつかの実施形態において、候補ＳＳＢの各々に、対応するＳＳＢ  ＣＯＴグループ内でインデックス付けされたＳＳＢインデックスが割当てられる。例えば、図４ａにおけるＳＳＢ  ＣＯＴ  １、ＳＳＢ  ＣＯＴ  ２、及びＳＳＢ  ＣＯＴ  ３が、図６ａ及び図６ｂに示されているように３つのＳＳＢ  ＣＯＴグループ、すなわち、ＳＳＢ  ＣＯＴグループ１、ＳＳＢ  ＣＯＴグループ２、及びＳＳＢ  ＣＯＴグループ３に分配される場合、ＳＳＢ  ＣＯＴ  １内で送信される３つの候補ＳＳＢ４０２、４０４、及び４０６に、ＳＳＢ  ＣＯＴグループ１内のＳＳＢインデックス（すなわちＳＳＢＩ）０、１、又は２がそれぞれ割当てられてよい。ＳＳＢ  ＣＯＴ  ２内で送信される５つの候補ＳＳＢ４０８、４１０、４１２、４１４、及び４１６に、ＳＳＢ  ＣＯＴグループ２内のＳＳＢインデックス（すなわちＳＳＢＩ）０、１、２、３、又は４がそれぞれ割当てられてよい。同様に、ＳＳＢ  ＣＯＴ  ３内で送信される４つの候補ＳＳＢ４１８、４２０、４２２、及び４２４に、ＳＳＢ  ＣＯＴグループ３内のＳＳＢインデックス（すなわちＳＳＢＩ）０、１、２、又は３がそれぞれ割当てられてよい。
【００８１】
いくつかの実施形態において、分割ＳＳＢ送信は、ＬＢＴ手順に従って基地局によって得られるＳＳＢ  ＣＯＴが、ＳＳバーストセットにおける候補ＳＳＢの総数をサポートできない場合に、実行されてよい。
【００８２】
例えば、基地局によって得られた最初のＳＳＢ  ＣＯＴが、全ての候補ＳＳＢを送信するために必要とされる持続時間未満である場合、分割ＳＳＢ送信が必要とされる。その後、ＳＳバーストセットにおける候補ＳＳＢは、２つ以上のＳＳＢ  ＣＯＴ内で送信される。
【００８３】
一方、基地局によって得られた最初のＳＳＢ  ＣＯＴが、全ての候補ＳＳＢを送信するために必要とされる持続時間以上である場合、分割は必要とされない。候補ＳＳＢの全ては、１つのＳＳＢ  ＣＯＴ内で送信されてよい。
【００８４】
図４ｂは、非分割ＳＳＢ送信の一例を示している。上述したように、非分割ＳＳＢ送信において、ＳＳバーストセットにおける候補ＳＳＢは、単一のＳＳＢ  ＣＯＴ内で送信される。
【００８５】
非分割ＳＳＢ送信のいくつかの実施形態において、候補ＳＳＢの各々は、ＳＳバーストセットごとにインデックス付けされる。図４ｂに示されているように、ＳＳバーストセットは、単一のＳＳＢ  ＣＯＴ内で送信される１２個の候補ＳＳＢ４５２、４５４、４５６、４５８、４６０、４６２、４６４、４６６、４６８、４７０、４７２、及び４７４を含む。１２個の候補ＳＳＢの各々に、ＳＳＢインデックス（すなわちＳＳＢＩ）０、１、２、３、４、５、６、７、８、９、１０、又は１１がそれぞれ割当てられる。
【００８６】
非分割ＳＳＢ送信のいくつかの実施形態において、ＳＳバーストセットにおける候補ＳＳＢの各々は、そのＳＳＢインデックスによって識別される。図４ｂに示されている例において、ＳＳバーストセットにおける１２個の候補ＳＳＢの各々は、そのＳＳＢインデックスＳＳＢ０、ＳＳＢ１、ＳＳＢ２、ＳＳＢ３、ＳＳＢ４、ＳＳＢ５、ＳＳＢ６、ＳＳＢ７、ＳＳＢ８、ＳＳＢ９、ＳＳＢ１０、又はＳＳＢ１１によって識別される。
【００８７】
上述したように、非分割ＳＳＢ送信は、ＳＳバーストセットにおける候補ＳＳＢの総数が、ＳＳＢ  ＣＯＴによってサポート可能なＳＳＢの数以下である場合に、実行される。
【００８８】
図５ａは、図４ａに示されているような分割ＳＳＢ送信に従ったＳＳＢ送信のタイミングの一例を示している。
【００８９】
いくつかの実施形態において、基地局は、タイミング制約を受けるＬＢＴ手順に従ってＳＳＢ  ＣＯＴを得ることを試みる。図５ａに示されているように、ターゲットＳＳＢ送信時刻ごとに、基地局は、ＳＳＢ送信のために、ＬＢＴ手順に従って最初のＳＳＢ  ＣＯＴを得ることを試みる。端末は、受信されたＳＳＢのＳＳＢインデックスと、現在のＳＳＢ  ＣＯＴが最初のＳＳＢ  ＣＯＴであるかどうかの指示と、に基づいて、受信されたＳＳＢが最初のＳＳＢであるかどうかを判別することができる。端末は、更に、最初のＳＳＢのタイミングと、５Ｇ  ＮＲ通信システムによって事前に決定されてよい又は基地局によって設定可能であるＳＳバーストセット期間と、に従って、次のターゲットＳＳＢ送信時刻を判別することができる。図５ａに示されている例において、ＳＳバーストセット期間は２０ｍｓである。ＳＳバーストセット期間は、実際の要件に応じて変わり得る。
【００９０】
図５ａに示されているように、ＳＳＢ  ＣＯＴ  １とＳＳＢ  ＣＯＴ  ２との間又はＳＳＢ  ＣＯＴ  ２とＳＳＢ  ＣＯＴ  ３との間等の、２つの連続するＳＳＢ  ＣＯＴ間の時間間隔は、ＣＯＴ間時間間隔と称される。ＣＯＴ間時間間隔は、５Ｇ  ＮＲ通信システムによって事前に決定されてよい又は基地局によって設定可能である。ターゲットＳＳＢ送信時刻に続くｉ番目のＣＯＴ間時間間隔で、基地局は、ＬＢＴ手順に従って、（ｉ＋１）番目のＳＳＢ  ＣＯＴを得ることを試みる。ここで、ｉ＝１，２，．．．，ＮＣＯＴ−１であり、ＮＣＯＴはＳＳＢ  ＣＯＴの数である。
【００９１】
いくつかの実施形態において、ＣＯＴ間時間間隔は、上位レイヤシグナリングによって示されてよい。上位レイヤシグナリングは、ＲＭＳＩにおいて運ばれてよい。
【００９２】
図５ａに示されているように、２つ以上のＳＳＢ  ＣＯＴの各々において、送信されるＳＳＢは、対応するＳＳＢ  ＣＯＴ内の候補ＳＳＢの各々の間の時間間隔で分離される。この時間間隔は、ＳＳＢ間時間間隔と称される。２つ以上のＳＳＢ  ＣＯＴの各々において、最初のＳＳＢは、各ＳＳＢ  ＣＯＴの始めに送信される。いくつかの例において、ＳＳＢ間時間間隔は、事前に決定されてよい。例えば、ＳＳＢ間時間間隔は０であってよく、これは、候補ＳＳＢが、間隔なく各ＳＳＢ  ＣＯＴ内で連続的に送信されることを意味する。
【００９３】
上述したように、分割ＳＳＢ送信において、２つ以上のＳＳＢ  ＣＯＴが、１つ以上のＳＳＢ  ＣＯＴグループに分配されてよい。各ＳＳＢ  ＣＯＴグループは、１つ以上のＳＳＢ  ＣＯＴを含むことができる。１つ以上のＳＳＢ  ＣＯＴグループの詳細な情報は、図６ａ、図６ｂ、図７ａ、及び図７ｂに関して提供されている。
【００９４】
異なるＳＳバーストセット期間において、ＬＢＴで得られるＳＳＢ  ＣＯＴの数は異なってよい。図５ａに示されているように、チャネル状態は様々な要因に応じて変わり得るため、３つのＳＳＢ  ＣＯＴ内で第１のＳＳバーストセットを送信した後、基地局は、次のターゲットＳＳＢ送信時刻において、次のＳＳバーストセットについての新しいＳＳＢ送信配置を決定することができる。例えば、図５ａに示されているような第２のターゲットＳＳＢ送信時刻において、基地局は、第２のＳＳバーストセットを送信するためにＬＢＴ手順に従って最初のＳＳＢ  ＣＯＴを得ることができ、最初のＳＳＢ  ＣＯＴが、第２のＳＳバーストセットにおける全ての候補ＳＳＢを送信するために必要とされる持続時間未満の持続時間を有すると判定することがある。この判定に応じて、基地局は、第２のターゲットＳＳＢ送信時刻の後のＣＯＴ間時間間隔で、２番目のＳＳＢ  ＣＯＴを得ることができる。２番目のＳＳＢ  ＣＯＴが、第２のＳＳバーストセットにおける残りの候補ＳＳＢを送信するために必要とされる持続時間未満の持続時間を有する場合、更なるＳＳＢ  ＣＯＴが得られる必要がある。一方、２番目のＳＳＢ  ＣＯＴが、第２のＳＳバーストセットにおける残りの候補ＳＳＢを送信するために必要とされる持続時間以上の持続時間を有する場合、基地局は、２つのＳＳＢ  ＣＯＴが、第２のＳＳバーストセットにおける候補ＳＳＢを送信するのに十分であると判定することができ、２番目のＳＳＢ  ＣＯＴ内で送信される候補ＳＳＢにおいて、２つのＳＳＢ  ＣＯＴの情報を示すことができる。このようにして、端末は、２番目のＣＯＴ内で候補ＳＳＢを受信すると、２番目のＳＳＢ  ＣＯＴが第２のＳＳバーストセットについての最後のＳＳＢ  ＣＯＴであると判別することができる。このようなシナリオが図５ａに示されている。
【００９５】
図５ｂは、図４ａに示されているような分割ＳＳＢ送信及び図４ｂに示されているような非分割ＳＳＢ送信に従ったＳＳＢ送信のタイミングの一例を示している。
【００９６】
図５ｂに示されているように、非分割ＳＳＢ送信において、全ての候補ＳＳＢは、単一のＳＳＢ  ＣＯＴ内で送信される。ターゲットＳＳＢ送信時刻ごとに、基地局は、ＳＳＢ送信のために、ＬＢＴ手順に従ってＳＳＢ  ＣＯＴを得ることを試みる。端末は、受信されたＳＳＢのＳＳＢインデックスに基づいて、受信されたＳＳＢが最初のＳＳＢであるかどうかを判別することができる。端末は、更に、最初のＳＳＢのタイミングと、５Ｇ  ＮＲ通信システムによって事前に決定されてよい又は基地局によって設定可能であるＳＳバーストセット期間と、に従って、次のターゲットＳＳＢ送信時刻を判別することができる。図５ｂに示されている例において、ＳＳバーストセット期間は２０ｍｓである。
【００９７】
図５ｂに示されているように、ＳＳＢ  ＣＯＴにおいて、送信されるＳＳＢは、ＳＳＢ  ＣＯＴにおける候補ＳＳＢの各々の間の時間間隔で分離される。この時間間隔は、ＳＳＢ間時間間隔と称される。非分割ＳＳＢ送信において、最初のＳＳＢは、ＳＳＢ  ＣＯＴの始めに送信される。いくつかの例において、ＳＳＢ間時間間隔は、事前に決定されてよい。例えば、ＳＳＢ間時間間隔は０であってよく、これは、候補ＳＳＢが、間隔なく各ＳＳＢ  ＣＯＴ内で連続的に送信されることを意味する。
【００９８】
異なるＳＳバーストセット期間において、ＬＢＴで得られるＳＳＢ  ＣＯＴの数は異なってよい。図５ｂに示されているように、チャネル状態は様々な要因に応じて変わり得るため、１つのＳＳＢ  ＣＯＴ内で第１のＳＳバーストセットを送信した後、基地局は、次のターゲットＳＳＢ送信時刻において、チャネル状態が、現在、非分割ＳＳＢ送信に適していないと判定することがある。例えば、図５ｂに示されているような第２のターゲットＳＳＢ送信時刻において、基地局は、ＬＢＴ手順に従って、第２のＳＳバーストセットを送信するための最初のＳＳＢ  ＣＯＴを得ることができ、最初のＳＳＢ  ＣＯＴが、第２のＳＳバーストセットの全ての候補ＳＳＢを送信するために必要とされる持続時間未満の持続時間を有するので、分割ＳＳＢ送信が必要であると判定する。この判定に応じて、基地局は、第２のターゲットＳＳＢ送信時刻の後のＣＯＴ間時間間隔で、２番目のＳＳＢ  ＣＯＴを得ることができる。２番目のＳＳＢ  ＣＯＴが、第２のＳＳバーストセットにおける残りの候補ＳＳＢを送信するために必要とされる持続時間未満の持続時間を有する場合、更なるＳＳＢ  ＣＯＴが得られる必要がある。一方、２番目のＳＳＢ  ＣＯＴが、第２のＳＳバーストセットにおける残りの候補ＳＳＢを送信するために必要とされる持続時間以上の持続時間を有する場合、基地局は、２つのＳＳＢ  ＣＯＴが、第２のＳＳバーストセットにおける候補ＳＳＢを送信するのに十分であると判定することができ、２番目のＳＳＢ  ＣＯＴ内で送信される候補ＳＳＢにおいて、２つのＳＳＢ  ＣＯＴの情報を示すことができる。このようにして、端末は、２番目のＣＯＴ内で候補ＳＳＢを受信すると、２番目のＳＳＢ  ＣＯＴが第２のＳＳバーストセットについての最後のＳＳＢ  ＣＯＴであると判別することができる。このようなシナリオが図５ｂに示されている。
【００９９】
図５ａ及び図５ｂに示されている例において、端末は、任意の２つのＳＳＢ  ＣＯＴ間の分離中にＳＳＢを受信する準備をする必要がない。このようにして、電力消費を有利に低減することができる。
【０１００】
図６ａ及び図６ｂの各々は、図４ａ及び図５ａに示されているような分割ＳＳＢ送信に従ったランダムアクセスチャネル（ＲＡＣＨ）手順の一例を示している。これらの例において、分割ＳＳＢ送信における各ＳＳＢ  ＣＯＴは、ＳＳＢ  ＣＯＴグループを形成する。
【０１０１】
図６ａ及び図６ｂの例に示されているように、ＳＳバーストセットにおける１２個の候補ＳＳＢは、３つのＳＳＢ  ＣＯＴ、すなわち、ＳＳＢ  ＣＯＴ  １、ＳＳＢ  ＣＯＴ  ２、及びＳＳＢ  ＣＯＴ  ３内で送信される。これらの３つのＳＳＢ  ＣＯＴは、３つのＳＳＢ  ＣＯＴグループ、すなわち、ＳＳＢ  ＣＯＴグループ１、ＳＳＢ  ＣＯＴグループ２、及びＳＳＢ  ＣＯＴグループ３にそれぞれ分配される。キャリア周波数に応じて、ＳＳバーストセットにおいて送信される異なる数の候補ＳＳＢ（例えば、４個の候補ＳＳＢ、８個の候補ＳＳＢ、又は６４個の候補ＳＳＢ）が存在し得ることが、理解されるであろう。
【０１０２】
図６ａの例において、ＲＡＣＨ手順は、ＳＳＢ  ＣＯＴグループ１、ＳＳＢ  ＣＯＴグループ２、及びＳＳＢ  ＣＯＴグループ３内で送信された１２個の候補ＳＳＢに対応する１２個のＲＯにおいてＰＲＡＣＨプリアンブルを基地局に送信するために、端末において行われてよい。ＲＯは、基地局によって、３つのＳＳＢ  ＣＯＴグループにそれぞれ対応する３つのＲＡ  ＣＯＴ、すなわち、ＲＡ  ＣＯＴ  １、ＲＡ  ＣＯＴ  ２、及びＲＡ  ＣＯＴ  ３において設定されてよい。ＲＡ  ＣＯＴ  １、ＲＡ  ＣＯＴ  ２、及びＲＡ  ＣＯＴ  ３は、それぞれのＳＳＢ  ＣＯＴグループに含まれない。このようにして、ＰＲＡＣＨプリアンブルは、ＳＳＢ  ＣＯＴ内で送信されない。
【０１０３】
図６ａの上記の例において、他のセル設定パラメータとともにＲＭＳＩに含まれるＰＲＡＣＨリソース（例えば、ＰＲＡＣＨプリアンブル／ＲＯ）を含むＰＲＡＣＨ設定情報は、ＲＡＣＨ手順の前に（例えば、ＰＲＡＣＨプリアンブル送信の前に）ＰＲＡＣＨ設定情報を端末が得ることができるように、各ＳＳＢ  ＣＯＴグループ内で送信されてよい。
【０１０４】
一方、図６ｂの例において、ＲＡＣＨ手順は、ＳＳＢ  ＣＯＴグループ１、ＳＳＢ  ＣＯＴグループ２、及びＳＳＢ  ＣＯＴグループ３において送信された１２個の候補ＳＳＢに対応する１２個のＲＯにおいてＰＲＡＣＨプリアンブルを基地局に送信するために、端末において行われてよい。１２個のＲＯは、それぞれ、基地局によって、ＳＳＢ  ＣＯＴグループ１、ＳＳＢ  ＣＯＴグループ２、及びＳＳＢ  ＣＯＴグループ３内に設定されてよい。有利なことに、このようにして、ＰＲＡＣＨプリアンブルは、ＳＳＢ  ＣＯＴ内で送信されてよく、このことは、２つの伝送方向、すなわち、ダウンリンク通信及びアップリンク通信の両方を可能にし、５Ｇ  ＮＲ通信の効率及びスループットを向上させる。
【０１０５】
図６ｂの上記の例において、他のセル設定パラメータとともにＲＭＳＩに含まれるＰＲＡＣＨリソース（例えば、ＰＲＡＣＨプリアンブル／ＲＯ）を含むＰＲＡＣＨ設定情報は、ＲＡＣＨ手順の前に（例えば、ＰＲＡＣＨプリアンブル送信の前に）ＰＲＡＣＨ設定情報を端末が得ることができるように、各ＳＳＢ  ＣＯＴグループ内で送信されてよい。
【０１０６】
図７ａ及び図７ｂの各々は、図４ａ及び図５ａに示されているような分割ＳＳＢ送信に従ったランダムアクセスチャネル（ＲＡＣＨ）手順の一例を示している。これらの例において、２つ以上のＳＳＢ  ＣＯＴが１つ以上のＳＳＢ  ＣＯＴグループに分配されてよい。図７ａ及び図７ｂに示されているように、異なるＳＳＢ  ＣＯＴグループは、異なる数のＳＳＢ  ＣＯＴを有することができる。
【０１０７】
図７ａ及び図７ｂの例に示されているように、ＳＳバーストセットにおける１２個の候補ＳＳＢは、３つのＳＳＢ  ＣＯＴ、すなわち、ＳＳＢ  ＣＯＴ  １、ＳＳＢ  ＣＯＴ  ２、及びＳＳＢ  ＣＯＴ  ３内で送信される。キャリア周波数に応じて、ＳＳバーストセットにおいて送信される異なる数の候補ＳＳＢ（例えば、４個の候補ＳＳＢ、８個の候補ＳＳＢ、又は６４個の候補ＳＳＢ）が存在し得ることが、理解されるであろう。本例において、３つのＳＳＢ  ＣＯＴが、２つのＳＳＢ  ＣＯＴグループ、すなわち、ＳＳＢ  ＣＯＴグループ１及びＳＳＢ  ＣＯＴグループ２に分配される。
【０１０８】
図７ａの例において、ＲＡＣＨ手順は、２つのＳＳＢ  ＣＯＴグループにおいて送信された１２個のＳＳＢに対応する１２個のＲＯにおいてＰＲＡＣＨプリアンブルを基地局に送信するために、端末において行われてよい。１２個のＲＯは、基地局によって、２つのＳＳＢ  ＣＯＴグループに対応する２つのＲＡ  ＣＯＴにおいて設定されてよい。ＲＡ  ＣＯＴは、ＳＳＢ  ＣＯＴグループに含まれない。このようにして、ＰＲＡＣＨプリアンブルは、ＳＳＢ  ＣＯＴ内で送信されない。
【０１０９】
いくつかの他の例において、図７ａには示されていないが、３つのＳＳＢ  ＣＯＴは、１つのＳＳＢ  ＣＯＴグループに集約されてもよい。このシナリオにおいて、ＲＡＣＨ手順は、１つのＳＳＢ  ＣＯＴグループにおいて送信された１２個のＳＳＢに対応する１２個のＲＯにおいてＰＲＡＣＨプリアンブルを基地局に送信するために、端末において行われてよい。１２個のＲＯは、基地局によって、１つのＲＡ  ＣＯＴにおいて設定されてよい。ＲＡ  ＣＯＴは、ＳＳＢ  ＣＯＴグループに含まれない。このようにして、ＰＲＡＣＨプリアンブルは、ＳＳＢ  ＣＯＴ内で送信されない。
【０１１０】
３つのＳＳＢ  ＣＯＴが２つのＳＳＢ  ＣＯＴグループに分配されてよい上記の例、及び、３つのＳＳＢ  ＣＯＴが１つのＳＳＢ  ＣＯＴグループに集約されてもよい他の例において、他のセル設定パラメータとともにＲＭＳＩに含まれるＰＲＡＣＨリソース（例えば、ＰＲＡＣＨプリアンブル／ＲＯ）を含むＰＲＡＣＨ設定情報は、ＲＡＣＨ手順の前に（例えば、ＰＲＡＣＨプリアンブル送信の前に）ＰＲＡＣＨ設定情報を端末が得ることができるように、ＳＳＢ  ＣＯＴグループ内で送信されてよい。
【０１１１】
一方、図７ｂの例において、ＲＡＣＨ手順は、２つのＳＳＢ  ＣＯＴグループにおいて送信された１２個のＳＳＢに対応する１２個のＲＯにおいてＰＲＡＣＨプリアンブルを基地局に送信するために、端末において行われてよい。１２個のＲＯは、基地局によって、ＳＳＢ  ＣＯＴグループ内に設定されてよい。このようにして、ＰＲＡＣＨプリアンブルは、ＳＳＢ  ＣＯＴ内で送信される。
【０１１２】
いくつかの他の例において、図７ｂには示されていないが、３つのＳＳＢ  ＣＯＴは、１つのＳＳＢ  ＣＯＴグループに集約されてもよい。このシナリオにおいて、ＲＡＣＨ手順は、１つのＳＳＢ  ＣＯＴグループにおいて送信された１２個のＳＳＢに対応する１２個のＲＯにおいてＰＲＡＣＨプリアンブルを基地局に送信するために、端末において行われてよい。１２個のＲＯは、基地局によって、ＳＳＢ  ＣＯＴグループ内に設定されてよい。このようにして、ＰＲＡＣＨプリアンブルは、ＳＳＢ  ＣＯＴ内で送信される。
【０１１３】
図７ｂの上記の例において、他のセル設定パラメータとともにＲＭＳＩに含まれるＰＲＡＣＨリソース（例えば、ＰＲＡＣＨプリアンブル／ＲＯ）を含むＰＲＡＣＨ設定情報は、ＲＡＣＨ手順の前に（例えば、ＰＲＡＣＨプリアンブル送信の前に）ＰＲＡＣＨ設定情報を端末が得ることができるように、ＳＳＢ  ＣＯＴグループ内で送信されてよい。
【０１１４】
図６ａ、図６ｂ、図７ａ、及び図７ｂの上記の例、並びに、３つのＳＳＢ  ＣＯＴが１つのＳＳＢ  ＣＯＴグループに集約される上述した他の例において、端末がＰＲＡＣＨプリアンブルを基地局に送信するために使用するＲＯの数は、ＳＳバーストセットにおいて送信されたＳＳＢの数と同じであってよい。しかしながら、ＲＯの数は、実際の必要性に応じて変更されてもよいことが理解されるであろう。
【０１１５】
加えて、本開示において、ＳＳバーストセットにおいて送信された候補ＳＳＢの各々は、１つ以上のＲＯに関連付けられていてよい。ＳＳＢ−ＲＯ関連付け関係は、事前に決定されてよい又は基地局によって設定可能である。ＳＳＢ−ＲＯマッピングルールと同義に称されるＳＳＢ−ＲＯ関連付け関係の詳細は、図９ａ、図９ｂ、図９ｃ、図９ｄ、及び図９ｅに関して提供されている。
【０１１６】
図６ａ、図６ｂ、図７ａ、及び図７ｂの上記の例のいくつかの実施形態において、ＲＭＳＩ設定情報は、候補ＳＳＢの各々に含まれるＰＢＣＨにおいて運ばれてよく、これは、各ＳＳＢ  ＣＯＴグループにおけるＲＭＳＩをどのように受信するかを端末に通知する。
【０１１７】
図６ａ、図６ｂ、図７ａ、及び図７ｂの例、並びに、（３つのＳＳＢ  ＣＯＴが１つのＳＳＢ  ＣＯＴグループに集約される）上述した他の例において上述したように、本開示に従うと、分割ＳＳＢ送信中、基地局は、複数のＳＳＢ  ＣＯＴを１つ以上のＳＳＢ  ＣＯＴグループに分配し、対応するＳＳＢ  ＣＯＴグループにおける候補ＳＳＢに関連付けられている１つ以上のＲＯを各ＳＳＢ  ＣＯＴグループに提供することができる。したがって、基地局は、端末が最良のビーム又は十分に良い品質を有するビームを選択するのに十分な大きさのＳＳＢのプールを端末が受信できるように、ＳＳＢ  ＣＯＴグループ内で送信される十分な数のＳＳＢを決定することができる。このようにして、本開示は、有利なことに、ＳＳＢに割当てられているＲＯを無駄にすることになる、ＳＳＢ  ＣＯＴにおけるＳＳＢを送信するビームが、端末が使用するのに十分に良い質を有していないシナリオを回避する。有利なことに、２つ以上のＳＳＢ  ＣＯＴを１つ以上のＳＳＢ  ＣＯＴグループに分配することによって、本開示は、ＳＳＢに関連付けられているＲＯの効率的な使用を確実にし、このことは、基地局と端末との間のより効率的で信頼できる通信を可能にする。
【０１１８】
加えて、図６ａ、図６ｂ、図７ａ、及び図７ｂの例における上記のＰＲＡＣＨプリアンブル送信は有利である。これは、端末がＳＳＢ  ＣＯＴグループ内で十分に良い品質を有するビームを検出した場合、端末は、ＳＳＢ  ＣＯＴグループに続く又はＳＳＢ  ＣＯＴグループ内のＲＡ  ＣＯＴにおいて、ＲＡＣＨ手順を開始することができるからである。端末は、ＲＡＣＨ手順を開始するために、ＳＳバーストセットにおける全ての候補ＳＳＢが受信されるまで待つ必要はない。
【０１１９】
更に、図６ｂ及び図７ｂに示されているような、１つ以上のＳＳＢ  ＣＯＴグループ内でのＰＲＡＣＨプリアンブルの送信は、有利なことに、２つの伝送方向、すなわち、ダウンリンク通信及びアップリンク通信の両方を可能にする。したがって、１つ以上のＳＳＢ  ＣＯＴグループ内でのＰＲＡＣＨプリアンブルの送信は、更に、５Ｇ  ＮＲ通信の効率及びスループットを向上させる。
【０１２０】
図８ａ及び図８ｂの各々は、図４ｂに示されているような非分割ＳＳＢ送信に従ったＲＡＣＨ手順の一例を示している。
【０１２１】
図８ａ及び図８ｂの例に示されているように、ＳＳバーストセットにおける候補ＳＳＢは、１つのＳＳＢ  ＣＯＴ内で送信される。図８ａの例において、ＳＳＢ  ＣＯＴ内で送信されるＳＳＢに対応するＲＯは、基地局によって、ＲＡ  ＣＯＴにおいて割当てられてよい。ＲＡ  ＣＯＴは、ＳＳＢ  ＣＯＴに含まれない。このようにして、ＰＲＡＣＨプリアンブルは、ＳＳＢ  ＣＯＴ内で送信されない。
【０１２２】
図８ａの上記の例において、他のセル設定パラメータとともにＲＭＳＩに含まれるＰＲＡＣＨリソース（例えば、ＰＲＡＣＨプリアンブル／ＲＯ）を含むＰＲＡＣＨ設定情報は、ＰＲＡＣＨプリアンブル送信の前にＰＲＡＣＨ設定情報を端末が得ることができるように、ＳＳＢ  ＣＯＴグループ内で送信されてよい。
【０１２３】
一方、図８ｂの例において、ＳＳＢ  ＣＯＴ内で送信されるＳＳＢに対応するＲＯは、基地局によって、ＳＳＢ  ＣＯＴ内に割当てられてよい。このようにして、ＰＲＡＣＨプリアンブルは、ＳＳＢ  ＣＯＴ内で送信される。
【０１２４】
図８ｂの上記の例において、他のセル設定パラメータとともにＲＭＳＩに含まれるＰＲＡＣＨリソース（例えば、ＰＲＡＣＨプリアンブル／ＲＯ）を含むＰＲＡＣＨ設定情報は、ＰＲＡＣＨプリアンブル送信の前にＰＲＡＣＨ設定情報を端末が得ることができるように、ＳＳＢ  ＣＯＴグループ内で送信されてよい。
【０１２５】
図８ａ及び図８ｂの上記の例のいくつかの実施形態において、ＲＭＳＩ設定情報は、候補ＳＳＢの各々に含まれるＰＢＣＨにおいて運ばれてよい。
【０１２６】
図９ａ、図９ｂ、図９ｃ、図９ｄ、及び図９ｅの各々は、ＳＳＢ−ＲＯマッピングルールを示している。
【０１２７】
図６ａ、図６ｂ、図７ａ、図７ｂ、図８ａ、及び図８ｂに示されている例において、基地局によってＳＳＢ  ＣＯＴグループ内に又はＲＡ  ＣＯＴにおいて割当てられたＲＯは、１つ以上のＳＳＢ−ＲＯ関連付け期間に対応する。
【０１２８】
ＳＳＢ−ＲＯ関連付け期間の例が、図９ａ、図９ｂ、図９ｃ、図９ｄ、及び図９ｅに示されている。ＳＳＢ−ＲＯ関連付け期間の例は、１つ以上のＰＲＡＣＨスロットを含む。各ＰＲＡＣＨスロット内で、ＲＯは、周波数分割多重及び／又は時分割多重されてよい。
【０１２９】
本開示のいくつかの実施形態において、１つのＳＳＢは、複数のＲＯに関連付けられてよい。このような関連付け関係は、多数の端末が、同じ最良のビーム又は基地局にとって十分に良い同じビームを識別する場合に有利である。１つのＳＳＢが複数のＲＯに関連付けられている場合、各端末は、ＰＲＡＣＨ送信のために、同じＳＳＢに関連付けられている複数のＲＯのうちの１つのＲＯをランダムに選択することができ、このことは、衝突の確率を有利に低減することができる。
【０１３０】
いくつかの他の実施形態において、１つのＳＳＢが１つのＲＯに関連付けられてもよいことが、当業者には理解されるであろう。
【０１３１】
図９ａ、図９ｂ、図９ｃ、図９ｄ、及び図９ｅに示されている例において、ＲＯは、少なくとも、ＰＲＡＣＨスロットにおいて時分割多重される、且つ／又は、ＳＳＢ−ＲＯ関連付け期間内のＰＲＡＣＨスロットにわたって分配される。例えば、いくつかの実施形態において、ＰＲＡＣＨスロットの最初の部分のインデックスは、ＰＲＡＣＨスロットの後の部分において繰り返されてよい。このようにして、端末がＰＲＡＣＨスロットにおける周波数分割多重されたＲＯにおいてＬＢＴ失敗に直面したとしても、端末は、周波数分割多重されたＲＯに関連付けられているＳＳＢに対応するＰＲＡＣＨ送信機会を依然として見つけることができる。
【０１３２】
図９ａは、第１のＳＳＢ−ＲＯマッピングルールを示している。図９ａに示されている例において、１２個のＳＳＢが、第１のＳＳＢ−ＲＯマッピングルールを説明するために例示されている。これらの１２個のＳＳＢは、図４ａ、図４ｂ、図５ａ、図５ｂ、図６ａ、図６ｂ、図７ａ、図７ｂ、図８ａ、及び図８ｂの例に示されているような１２個のＳＳＢに対応してよい。このＳＳＢ−ＲＯマッピングルールでは、１つのＳＳＢが、複数のＲＯに関連付けられてよい。ＳＳＢインデックスは、以下の順序でＲＯにマッピングされてよい。
１）ＰＲＡＣＨスロット内の時分割多重されたＲＯについての時間リソースインデックスの昇順で。
２）周波数分割多重されたＲＯについての周波数リソースインデックスの昇順で。
３）ＰＲＡＣＨスロットについてのインデックスの昇順で。
【０１３３】
第１のＳＳＢ−ＲＯマッピングルールによって、端末が最初のＰＲＡＣＨスロットにおける周波数分割多重されたＲＯにおいてＬＢＴ失敗に直面したとしても、端末は、時分割多重されたＲＯにおけるＳＳＢ０及びＳＳＢ１に対応するＰＲＡＣＨ送信機会を依然として見つけることができる。
【０１３４】
図９ｂは、第２のＳＳＢ−ＲＯマッピングルールを示している。図９ｂに示されている例において、１２個のＳＳＢが、第２のＳＳＢ−ＲＯマッピングルールを説明するために例示されている。これらの１２個のＳＳＢは、図４ａ、図４ｂ、図５ａ、図５ｂ、図６ａ、図６ｂ、図７ａ、図７ｂ、図８ａ、及び図８ｂの例に示されているような１２個のＳＳＢに対応してよい。このＳＳＢ−ＲＯマッピングルールでは、１つのＳＳＢが、複数のＲＯに関連付けられてよい。ＳＳＢインデックスは、以下の順序でＲＯにマッピングされてよい。
１）ＰＲＡＣＨスロット内の時分割多重されたＲＯについての時間リソースインデックスの昇順で。
２）ＰＲＡＣＨスロットについてのインデックスの昇順で。
３）周波数分割多重されたＲＯについての周波数リソースインデックスの昇順で。
【０１３５】
第２のＳＳＢ−ＲＯマッピングルールによって、端末が最初のＰＲＡＣＨスロットにおける周波数分割多重されたＲＯにおいてＬＢＴ失敗に直面したとしても、端末は、周波数分割多重されたＲＯにおけるＳＳＢ０及びＳＳＢ６に対応するＰＲＡＣＨ送信機会を依然として見つけることができる。
【０１３６】
図９ｃは、第３のＳＳＢ−ＲＯマッピングルールを示している。図９ｃに示されている例において、１２個のＳＳＢが、第３のＳＳＢ−ＲＯマッピングルールを説明するために例示されている。これらの１２個のＳＳＢは、図４ａ、図４ｂ、図５ａ、図５ｂ、図６ａ、図６ｂ、図７ａ、図７ｂ、図８ａ、及び図８ｂの例に示されているような１２個のＳＳＢに対応してよい。このＳＳＢ−ＲＯマッピングルールでは、１つのＳＳＢが、複数のＲＯに関連付けられてよい。ＳＳＢインデックスは、以下の順序でＲＯにマッピングされてよい。
１）ＰＲＡＣＨスロットについてのインデックスの昇順で。
２）周波数分割多重されたＲＯについての周波数リソースインデックスの昇順で。
３）時分割多重されたＲＯについての時間リソースインデックスの昇順で。
【０１３７】
第３のＳＳＢ−ＲＯマッピングルールによって、端末がＰＲＡＣＨスロットにおいてＬＢＴ失敗に直面したとしても、第１のマッピングルール及び第２のマッピングルールと比較して、第３のＳＳＢ−ＲＯマッピングルールは、他のＰＲＡＣＨスロットにおいて、上記のＰＲＡＣＨスロットにマッピングされているＳＳＢに対応するＰＲＡＣＨ送信機会を見つけるより良い機会を有することができる。
【０１３８】
図９ｄは、第４のＳＳＢ−ＲＯマッピングルールを示している。図９ｄに示されている例において、１２個のＳＳＢが、第４のＳＳＢ−ＲＯマッピングルールを説明するために例示されている。これらの１２個のＳＳＢは、図４ａ、図４ｂ、図５ａ、図５ｂ、図６ａ、図６ｂ、図７ａ、図７ｂ、図８ａ、及び図８ｂの例に示されているような１２個のＳＳＢに対応してよい。このＳＳＢ−ＲＯマッピングルールでは、１つのＳＳＢが、複数のＲＯに関連付けられてよい。ＳＳＢインデックスは、以下の順序でＲＯにマッピングされてよい。
１）ＰＲＡＣＨスロットについてのインデックスの昇順で。
２）時分割多重されたＲＯについての時間リソースインデックスの昇順で。
３）周波数分割多重されたＲＯについての周波数リソースインデックスの昇順で。
【０１３９】
第４のＳＳＢ−ＲＯマッピングルールによって、端末がＰＲＡＣＨスロットにおいてＬＢＴ失敗に直面したとしても、第１のマッピングルール及び第２のマッピングルールと比較して、第４のＳＳＢ−ＲＯマッピングルールは、他のＰＲＡＣＨスロットにおいて、上記のＰＲＡＣＨスロットにマッピングされているＳＳＢに対応するＰＲＡＣＨ送信機会を見つけるより良い機会を有することができる。
【０１４０】
図９ｅは、第５のＳＳＢ−ＲＯマッピングルールを示している。図９ｅに示されている例において、１２個のＳＳＢが、第５のＳＳＢ−ＲＯマッピングルールを説明するために例示されている。これらの１２個のＳＳＢは、図４ａ、図４ｂ、図５ａ、図５ｂ、図６ａ、図６ｂ、図７ａ、図７ｂ、図８ａ、及び図８ｂの例に示されているような１２個のＳＳＢに対応してよい。このＳＳＢ−ＲＯマッピングルールでは、１つのＳＳＢが、複数のＲＯに関連付けられてよく、第１のマッピングルール〜第４のマッピングルールに加えて、インターリービング動作がＰＲＡＣＨスロットインデックスに適用される。
【０１４１】
第５のＳＳＢ−ＲＯマッピングルールによって、端末が２つ以上の連続するＰＲＡＣＨスロットにおいてＬＢＴ失敗に直面したとしても、その対応するものと比較して、端末は、他のＰＲＡＣＨスロットにおいて、上記の２つ以上の連続するＰＲＡＣＨスロットにマッピングされているＳＳＢに対応するＰＲＡＣＨ送信機会を見つけるより良い機会を有することができる。
【０１４２】
第３のＳＳＢ−ＲＯマッピングルール、第４のＳＳＢ−ＲＯマッピングルール、又は第５のＳＳＢ−ＲＯマッピングルールは、アンライセンス帯域（例えば５ＧＨｚ又は６ＧＨｚアンライセンス帯域）で動作するＮＲスタンドアロンシステムが、物理レイヤプロトコルデータユニット（ＰＰＤＵ）持続時間が１つ以上のＰＲＡＣＨスロットよりも長い場合があるＷｉ−Ｆｉ（登録商標）ネットワークと共存する場合に有利である。
【０１４３】
上記の５つのマッピングルールに鑑みて、５つのマッピングルールのうちの２つ以上のＳＳＢ−ＲＯマッピングルールが、本開示の様々な実施形態に従った、基地局と端末との間の初期アクセスを確立するプロセスにおいて使用されてよい。
【０１４４】
いくつかの実施形態において、上位レイヤシグナリング（例えばＲＭＳＩ）は、どのＳＳＢ−ＲＯマッピングルールが、後続のＰＲＡＣＨプリアンブル送信において使用されるかを示すために使用されてよい。
【０１４５】
加えて、基地局は、オーバーラップするＷｉ−Ｆｉ（登録商標）ネットワークの伝送パターンに関する知識を有することができる。ＳＳＢ−ＲＯマッピングルールは、オーバーラップするＷｉ−Ｆｉ（登録商標）ネットワークの伝送パターンに応じて適応されてよい。
【０１４６】
図１０は、図３〜図９に示されるような様々な実施形態に従った、初期アクセスを確立するための基地局の別の概略的な例を示している。
【０１４７】
図１０の概略的な例において、基地局の少なくとも１つの制御部１００６は、少なくとも、ＳＳＢ−ＲＯマッピングルール決定部１００８と、ＳＳＢ送信方式決定部１０１０と、ＲＯ決定部１０１２と、を含むことができる。ＳＳＢ−ＲＯマッピングルール決定部１００８は、動作中、ＳＳＢ−ＲＯマッピングルールのうちのどのＳＳＢ−ＲＯマッピングルールが使用されるかを決定するよう構成されてよい。ＳＳＢ送信方式決定部１０１０は、動作中、ＳＳバーストセット期間及びその関連するシグナリングにおいて、分割ＳＳＢ送信が有効化されるか又は非分割ＳＳＢ送信が有効化されるかを決定するよう構成されてよい。ＲＯ決定部１０１２は、動作中、ＳＳＢ−ＲＯマッピングルール決定部１００８及びＳＳＢ送信方式決定部１０１０からの結果に基づいて、ＳＳＢ  ＣＯＴグループ又はＲＡ  ＣＯＴにおけるＲＯを決定するよう構成されてよい。
【０１４８】
図１０の概略的な例において、基地局は、少なくとも、制御情報生成部１０１４と、メッセージ生成部１０１６と、符号化部及び変調部１０１８と、復調部及び復号部又は検出部１０２０と、を更に含むことができる。
【０１４９】
制御情報生成部１０１４は、動作中、ＳＳＢ−ＲＯマッピングルール決定部１００８、ＳＳＢ送信方式決定部１０１０、及びＲＯ決定部１０１２からの結果に基づいて、ＰＢＣＨ又はＲＭＳＩ等の制御情報を生成し、それに応じて、無線送信部１００２を制御するよう構成されてよい。
【０１５０】
メッセージ生成部１０１６は、動作中、端末から受信されるＰＲＡＣＨプリアンブルの受信に応じてＲＡ応答メッセージを生成するよう又は端末から受信されるＲＲＣ接続要求メッセージの受信に応じてＲＲＣ接続セットアップメッセージを生成するよう構成されてよい。
【０１５１】
符号化部及び変調部１０１８は、動作中、制御情報生成部１０１４から受信された生成された制御情報又はメッセージ生成部１０１６から受信されたメッセージを符号化及び変調するよう構成されてよい。
【０１５２】
復調部及び復号部又は検出部１０２０は、動作中、端末から受信されるＰＲＡＣＨプリアンブルを検出するよう又は端末から受信されたＲＲＣ接続要求メッセージを復調及び復号するよう構成されてよい。
【０１５３】
図１１は、図３〜図９に示されているような様々な実施形態に従った、初期アクセスを確立するための端末の別の概略的な例を示している。
【０１５４】
図１１の概略的な例において、端末の少なくとも１つの制御部１１０６は、少なくとも、ＳＳＢ−ＲＯマッピングルール判別部１１０８と、ＳＳＢ送信方式判別部１１１０と、ＲＯ判別部１１１２と、ビーム判別部１１２２と、を含むことができる。ＳＳＢ−ＲＯマッピングルール判別部１１０８は、動作中、ＳＳＢ−ＲＯマッピングルールを判別するよう構成されてよい。ＳＳＢ送信方式判別部１１１０は、動作中、ＳＳバーストセット期間におけるＳＳＢ送信方式を判別し、関連するシグナリングを解析するよう構成されてよい。ビーム判別部１１２２は、動作中、ＳＳＢビームスイーピングから、最良のビーム／ＳＳＢ又は十分に良い品質を有するビーム／ＳＳＢを判別するよう構成されてよい。ＲＯ判別部１１１２は、動作中、選択されたＳＳＢに関連付けられている、ＳＳＢ  ＣＯＴグループ又はＲＡ  ＣＯＴにおけるＲＯを判別するよう構成されてよい。
【０１５５】
図１１の概略的な例において、端末は、少なくとも、ＰＲＡＣＨ送信信号生成部１１１４と、メッセージ生成部１１１６と、符号化部及び変調部１１１８と、復調部及び復号部１１２０と、を更に含むことができる。
【０１５６】
ＰＲＡＣＨ送信信号生成部１１１４は、動作中、制御部１１０６におけるＲＯ判別部１１１２によって判別されたＲＯにおけるＰＲＡＣＨ送信信号を生成するよう構成されてよい。
【０１５７】
メッセージ生成部１１１６は、動作中、基地局からのＲＡ応答メッセージの受信に応じてＲＲＣ接続要求メッセージを生成するよう構成されてよい。
【０１５８】
符号化部及び変調部１１１８は、動作中、無線送信部１１０２による送信のために、メッセージ生成部１１１６から受信された生成されたメッセージを符号化及び変調するよう構成されてよい。
【０１５９】
復調部及び復号部１１２０は、動作中、無線受信部１１０４から受信された受信信号（例えば、制御情報又はメッセージ）を復調及び復号するよう構成されてよい。
【０１６０】
上述したように、本開示の実施形態は、初期アクセスを確立するための効率的で信頼できる通信を可能にし、ＮＲ  ＤＬ及びＵＬスループットを向上させる高度な通信システム、通信方法、及び通信装置を提供する。
【０１６１】
本開示は、ソフトウェアによって、ハードウェアによって、又はハードウェアと協働するソフトウェアによって、実現可能である。上述した各実施形態の説明において使用されている各機能ブロックは、その一部又は全てを、集積回路等のＬＳＩによって実現可能であり、各実施形態において説明された各プロセスは、その一部又は全てを、同じＬＳＩ又はＬＳＩの組み合わせによって制御可能である。ＬＳＩは、チップとして個別に形成可能である、又は、機能ブロックの一部又は全てを含むように１つのチップを形成することができる。ＬＳＩは、自身に結合されたデータ入出力部を含むことができる。ＬＳＩは、ここでは、集積度の違いに応じて、ＩＣ、システムＬＳＩ、スーパーＬＳＩ、又はウルトラＬＳＩと称されることがある。しかしながら、集積回路を実現する技術は、ＬＳＩに限定されるものではなく、専用回路、汎用プロセッサ、又は専用プロセッサを使用することによって実現可能である。更に、ＬＳＩの製造後にプログラムすることができるＦＰＧＡ（フィールドプログラマブルゲートアレイ）や、ＬＳＩ内部に配置されている回路セルの接続及び設定を再設定できるリコンフィギャラブル・プロセッサを使用することもできる。本開示は、デジタル処理又はアナログ処理として実現可能である。半導体技術又は別の派生技術の進歩の結果として、ＬＳＩが将来の集積回路技術に置き換わる場合、その将来の集積回路技術を使用して機能ブロックを集積化することができる。バイオテクノロジを適用することもできる。
【０１６２】
広く説明されている本開示の趣旨又は範囲から逸脱することなく、具体的な実施形態において示されているような本開示に対して多数の変形及び／又は変更を行うことができることが、当業者には理解されるであろう。したがって、本実施形態は、全ての点で例示的であり、限定的ではないと考えられるべきである。
【０１６３】
本開示に従うと、以下のような様々な特徴が提供される。
【０１６４】
１．
初期アクセスを確立するための端末であって、
動作中、同期信号（ＳＳ）バーストセットにおける候補同期信号／物理報知チャネルブロック（ＳＳＢ）を受信するよう構成されている受信部であって、候補ＳＳＢは、基地局から１つ以上のＳＳＢチャネル占有時間（ＳＳＢ  ＣＯＴ）内で送信される、受信部と、
動作中、物理ランダムアクセスチャネル（ＰＲＡＣＨ）オケージョン（ＲＯ）におけるＰＲＡＣＨプリアンブルを基地局に送信するよう構成されている送信部であって、ＲＯは、受信された候補ＳＳＢのうちの１つのＳＳＢに関連付けられている、送信部と、
を備える端末。
【０１６５】
２．
受信部は、動作中、更に、１つ以上のＳＳＢ  ＣＯＴ内で送信された物理ランダムアクセスチャネル（ＰＲＡＣＨ）設定情報を受信するよう構成されている、
記述１に記載の端末。
【０１６６】
３．
受信部は、動作中、更に、受信される候補ＳＳＢにおける候補ＳＳＢのうちの最後のＳＳＢの指示を受信するよう構成されている、
記述１又は２に記載の端末。
【０１６７】
４．
受信部は、動作中、更に、端末からのＰＲＡＣＨプリアンブルの送信に応じて基地局から１つ以上のＳＳＢ  ＣＯＴ内で送信されたランダムアクセス（ＲＡ）応答を受信するよう構成されている、
記述１に記載の端末。
【０１６８】
５．
１つ以上のＳＳＢ  ＣＯＴの数は、基地局において実行されるリッスンビフォアトーク（ＬＢＴ）手順の結果に従って決定される、
記述１〜４のうちのいずれか１つに記載の端末。
【０１６９】
６．
ＬＢＴ手順の結果が、１つ以上のＳＳＢ  ＣＯＴのうちの最初のＳＳＢ  ＣＯＴの持続時間が、ＳＳバーストセットにおける候補ＳＳＢを送信するために必要とされる持続時間以上であることを示す場合、１つ以上のＳＳＢ  ＣＯＴの数は１つであり、１つ以上のＳＳＢ  ＣＯＴのうちの最初のＳＳＢ  ＣＯＴの持続時間が、ＳＳバーストセットにおける候補ＳＳＢを送信するために必要とされる持続時間未満であることを示す場合、１つ以上のＳＳＢ  ＣＯＴの数は２つ以上である、
記述５に記載の端末。
【０１７０】
７．
受信部は、１つ以上のＳＳＢ  ＣＯＴの数が１つである場合、動作中、更に、ＳＳバーストセット内でインデックス付けされたＳＳＢインデックスが割当てられている、候補ＳＳＢの各々を受信するよう構成されており、
受信部は、１つ以上のＳＳＢ  ＣＯＴの数が２つ以上である場合、動作中、更に、１つ以上のＳＳＢ  ＣＯＴグループ内で２つ以上のＳＳＢ  ＣＯＴを受信するよう構成されており、１つ以上のＳＳＢ  ＣＯＴグループの各ＳＳＢ  ＣＯＴグループは、候補ＳＳＢのうちの対応する数のＳＳＢが受信される持続時間を有し、対応する数のＳＳＢの各々に、当該ＳＳＢ  ＣＯＴグループ内でインデックス付けされたＳＳＢインデックスが割当てられている、
記述６に記載の端末。
【０１７１】
８．
ＳＳＢ  ＣＯＴにおける候補ＳＳＢの各々の間の間隔は、より長い持続時間の別のＳＳＢ  ＣＯＴにおいて受信される候補ＳＳＢの各々の間の間隔よりも短い、
記述１〜７のうちのいずれか１つに記載の端末。
【０１７２】
９．
送信部は、動作中、更に、１つ以上のＳＳＢ  ＣＯＴグループにおいて受信される候補ＳＳＢの受信に応じて、ＲＯにおけるＰＲＡＣＨプリアンブルを送信するよう構成されており、ＰＲＡＣＨプリアンブルは、１つ以上のＳＳＢ  ＣＯＴグループの各ＳＳＢ  ＣＯＴグループ内で送信される、
記述８に記載の端末。
【０１７３】
１０．
動作中、基地局から１つ以上のＳＳＢ  ＣＯＴ内で受信されたＰＲＡＣＨ設定情報に基づいて、候補ＳＳＢの各々についてＲＯを判別するよう構成されている制御部
を更に備える、記述２に記載の端末。
【０１７４】
１１．
制御部は、動作中、更に、１つ以上のマッピングルールに基づいて、候補ＳＳＢの各々に関連付けられているＲＯを判別するよう構成されており、１つ以上のマッピングルールは、候補ＳＳＢの各候補ＳＳＢのＳＳＢインデックスと当該候補ＳＳＢに関連付けられるＲＯとの間のルールである、
記述１０に記載の端末。
【０１７５】
１２．
動作中、１つ以上のＳＳＢ  ＣＯＴ内で受信されたＰＲＡＣＨ設定情報に基づいて、複数のＲＯが候補ＳＳＢの各々に関連付けられているかどうかを判別するよう構成されている制御部
を更に備える、記述２に記載の端末。
【０１７６】
１３．
受信部は、動作中、更に、基地局から複数のビームによって送信された候補ＳＳＢを受信するよう構成されており、複数のビームの各々は、候補ＳＳＢのうちの１つを送信するよう構成されている、
記述１〜１２のうちのいずれか１つに記載の端末。
【０１７７】
１４．
端末は、動作中、更に、ＲＡ応答の受信に応じて、送信部によって、接続要求メッセージを基地局に送信し、接続要求メッセージの送信に応じて、受信部によって、基地局から接続セットアップメッセージを受信するよう構成されている、
記述１〜１３のうちのいずれか１つに記載の端末。
【０１７８】
１５．
送信部は、動作中、更に、ＰＲＡＣＨプリアンブルとともに接続要求メッセージを基地局に送信するよう構成されており、
受信部は、動作中、更に、接続要求メッセージに応じた基地局からＲＡ応答とともに接続セットアップメッセージを受信するよう構成されている、
記述１４に記載の端末。
【０１７９】
１６．
受信部は、動作中、更に、候補ＳＳＢの各々の間の間隔で、新無線ライセンス補助アクセス（ＮＲ  ＬＡＡ）チャネルにおいて候補ＳＳＢを受信するよう構成されており、間隔は、新無線通常（ＮＲ通常）チャネルにおいて送信される候補ＳＳＢの各々の間の間隔よりも短い、
記述１〜１５のうちのいずれか１つに記載の端末。
【０１８０】
１７．
初期アクセスを確立するための基地局であって、
動作中、１つ以上の同期信号／物理報知チャネルブロック（ＳＳＢ）チャネル占有時間（ＳＳＢ  ＣＯＴ）内の同期信号（ＳＳ）バーストセットにおける候補ＳＳＢを端末に送信するよう構成されている送信部と、
動作中、端末から、物理ランダムアクセスチャネル（ＰＲＡＣＨ）オケージョン（ＲＯ）におけるＰＲＡＣＨプリアンブルを受信するよう構成されている受信部であって、ＲＯは、受信された候補ＳＳＢのうちの１つのＳＳＢに関連付けられている、受信部と、
を備える基地局。
【０１８１】
１８．
送信部は、動作中、更に、１つ以上のＳＳＢ  ＣＯＴ内で物理ランダムアクセスチャネル（ＰＲＡＣＨ）設定情報を送信するよう構成されている、
記述１７に記載の基地局。
【０１８２】
１９．
送信部は、動作中、更に、送信される候補ＳＳＢにおける候補ＳＳＢのうちの最後のＳＳＢの指示を送信するよう構成されている、
記述１８に記載の基地局。
【０１８３】
２０．
送信部は、動作中、更に、端末からのＰＲＡＣＨプリアンブルの受信に応じて、１つ以上のＳＳＢ  ＣＯＴ内でランダムアクセス（ＲＡ）応答を送信するよう構成されている、
記述１７に記載の基地局。
【０１８４】
２１．
１つ以上のＳＳＢ  ＣＯＴの数は、基地局において実行されるリッスンビフォアトーク（ＬＢＴ）手順の結果に従って決定される、
記述１７〜２０のうちのいずれか１つに記載の基地局。
【０１８５】
２２．
ＬＢＴ手順の結果が、１つ以上のＳＳＢ  ＣＯＴのうちの最初のＳＳＢ  ＣＯＴの持続時間が、ＳＳバーストセットにおける候補ＳＳＢを送信するために必要とされる持続時間以上であることを示す場合、１つ以上のＳＳＢ  ＣＯＴの数は１つであり、１つ以上のＳＳＢ  ＣＯＴのうちの最初のＳＳＢ  ＣＯＴの持続時間が、ＳＳバーストセットにおける候補ＳＳＢを送信するために必要とされる持続時間未満であることを示す場合、１つ以上のＳＳＢ  ＣＯＴの数は２つ以上である、
記述２１に記載の基地局。
【０１８６】
２３．
送信部は、１つ以上のＳＳＢ  ＣＯＴの数が１つである場合、動作中、更に、ＳＳバーストセット内でインデックス付けされたＳＳＢインデックスが割当てられている、候補ＳＳＢの各々を送信するよう構成されており、
送信部は、１つ以上のＳＳＢ  ＣＯＴの数が２つ以上である場合、動作中、更に、１つ以上のＳＳＢ  ＣＯＴグループ内で２つ以上のＳＳＢ  ＣＯＴを送信するよう構成されており、１つ以上のＳＳＢ  ＣＯＴグループの各ＳＳＢ  ＣＯＴグループは、候補ＳＳＢのうちの対応する数のＳＳＢが送信される持続時間を有し、対応する数のＳＳＢの各々に、当該ＳＳＢ  ＣＯＴグループ内でインデックス付けされたＳＳＢインデックスが割当てられている、
記述２２に記載の基地局。
【０１８７】
２４．
ＳＳＢ  ＣＯＴにおける候補ＳＳＢの各々の間の間隔は、より長い持続時間の別のＳＳＢ  ＣＯＴにおいて受信される候補ＳＳＢの各々の間の間隔よりも短い、
記述１７〜２３のうちのいずれか１つに記載の基地局。
【０１８８】
２５．
受信部は、動作中、更に、１つ以上のＳＳＢ  ＣＯＴグループにおいて受信される候補ＳＳＢの受信に応じて、ＲＯにおけるＰＲＡＣＨプリアンブルを受信するよう構成されており、ＰＲＡＣＨプリアンブルは、１つ以上のＳＳＢ  ＣＯＴグループの各ＳＳＢ  ＣＯＴグループ内で受信される、
記述２３に記載の基地局。
【０１８９】
２６．
動作中、候補ＳＳＢの各々についてＲＯを決定するよう構成されている制御部であって、ＲＯは、１つ以上のＳＳＢ  ＣＯＴ内で送信されるＰＲＡＣＨ設定情報に基づいて導出可能である、制御部
を更に備える、記述１８に記載の基地局。
【０１９０】
２７．
制御部は、動作中、更に、１つ以上のマッピングルールに基づいて、ＲＯを候補ＳＳＢの各々に関連付けるよう構成されており、１つ以上のマッピングルールは、候補ＳＳＢの各候補ＳＳＢのＳＳＢインデックスと当該候補ＳＳＢに関連付けられるＲＯとの間のルールである、
記述２６に記載の基地局。
【０１９１】
２８．
動作中、複数のＲＯを候補ＳＳＢの各々に関連付け、ＰＲＡＣＨ設定情報においてこの情報を示すよう構成されている制御部
を更に備える、記述１８に記載の基地局。
【０１９２】
２９．
送信部は、動作中、更に、複数のビームによって候補ＳＳＢを端末に送信するよう構成されており、複数のビームの各々は、候補ＳＳＢのうちの１つを送信するよう構成されている、
記述１７〜２８のうちのいずれか１つに記載の基地局。
【０１９３】
３０．
基地局は、動作中、更に、ＲＡ応答の送信に応じて、受信部において、端末から接続要求メッセージを受信し、接続要求メッセージの受信に応じて、送信部から、接続セットアップメッセージを端末に送信するよう構成されている、
記述１７〜２９のうちのいずれか１つに記載の基地局。
【０１９４】
３１．
受信部は、動作中、更に、端末からＰＲＡＣＨプリアンブルとともに接続要求メッセージを受信するよう構成されており、
送信部は、動作中、更に、接続要求メッセージの受信に応じて、ＲＡ応答とともに接続セットアップメッセージを端末に送信するよう構成されている、
記述３０に記載の基地局。
【０１９５】
３２．
送信部は、動作中、更に、候補ＳＳＢの各々の間の間隔で、新無線ライセンス補助アクセス（ＮＲ  ＬＡＡ）チャネルにおいて候補ＳＳＢを送信するよう構成されており、間隔は、新無線通常（ＮＲ通常）チャネルにおいて送信される候補ＳＳＢの各々の間の間隔よりも短い、
記述１７〜３１のうちのいずれか１つに記載の基地局。
【０１９６】
３３．
初期アクセスを確立するための方法であって、
端末において、同期信号（ＳＳ）バーストセットにおける候補同期信号／物理報知チャネルブロック（ＳＳＢ）を受信することであって、候補ＳＳＢは、基地局から１つ以上のＳＳＢチャネル占有時間（ＳＳＢ  ＣＯＴ）内で送信される、受信することと、
端末から、物理ランダムアクセスチャネル（ＰＲＡＣＨ）オケージョン（ＲＯ）におけるＰＲＡＣＨプリアンブルを基地局に送信することであって、ＲＯは、受信された候補ＳＳＢのうちの１つのＳＳＢに関連付けられている、送信することと、
を含む方法。
【０１９７】
３４．
初期アクセスを確立するための方法であって、
基地局から、１つ以上の同期信号／物理報知チャネルブロック（ＳＳＢ）チャネル占有時間（ＳＳＢ  ＣＯＴ）内の同期信号（ＳＳ）バーストセットにおける候補ＳＳＢを端末に送信することと、
基地局において、端末から、物理ランダムアクセスチャネル（ＰＲＡＣＨ）オケージョン（ＲＯ）におけるＰＲＡＣＨプリアンブルを受信することであって、ＲＯは、送信された候補ＳＳＢのうちの１つのＳＳＢに関連付けられている、受信することと、
を含む方法。
【図１ａ】
2021532646.tif 000003
【図１ｂ】
2021532646.tif 000004
【図２】
2021532646.tif 000005
【図３ａ】
2021532646.tif 000006
【図３ｂ】
2021532646.tif 000007
【図４ａ】
2021532646.tif 000008
【図４ｂ】
2021532646.tif 000009
【図５ａ】
2021532646.tif 000010
【図５ｂ】
2021532646.tif 000011
【図６ａ】
2021532646.tif 000012
【図６ｂ】
2021532646.tif 000013
【図７ａ】
2021532646.tif 000014
【図７ｂ】
2021532646.tif 000015
【図８ａ】
2021532646.tif 000016
【図８ｂ】
2021532646.tif 000017
【図９ａ】
2021532646.tif 000018
【図９ｂ】
2021532646.tif 000019
【図９ｃ】
2021532646.tif 000020
【図９ｄ】
2021532646.tif 000021
【図９ｅ】
2021532646.tif 000022
【図１０】
2021532646.tif 000023
【図１１】
2021532646.tif 000024
【国際調査報告】
2021532646.tif 000025
2021532646.tif 000026